(57)【特許請求の範囲】
【請求項１】
第１の基地局および第２の基地局を含んでいる無線通信システムにおいて、多地点協調送受信（ＣｏＭＰ）をサポートする前記第１の基地局において実装される無線通信方法であって、
所与のユーザ機器（ＵＥ）識別情報（ＩＤ）および所与のチャネル状態情報（ＣＳＩ）プロセスに関して、前記第２の基地局から、それぞれランク指示（ＲＩ）およびチャネル品質指標（ＣＱＩ）を含んでいる複数のＣＳＩレポートを受信することを備え、
前記第２の基地局が、１つまたは複数のユーザ機器（ＵＥ）からＲＩ情報およびＣＱＩ情報を受信し、
前記複数のＣＳＩレポートのそれぞれがサブバンドインデックスをさらに備える、無線通信方法。
【請求項２】
前記ＲＩおよび前記ＣＱＩに基づいてリソース割り当てを実行することをさらに備える、請求項１に記載の無線通信方法。
【請求項３】
第１の基地局および第２の基地局を含んでいる無線通信システムにおいて、多地点協調送受信（ＣｏＭＰ）をサポートする前記第２の基地局において実装される無線通信方法であって、
１つまたは複数のユーザ機器（ＵＥ）からランク指示（ＲＩ）情報およびチャネル品質指標（ＣＱＩ）情報を受信することと、
所与のユーザ機器（ＵＥ）識別情報（ＩＤ）および所与のチャネル状態情報（ＣＳＩ）プロセスに関して、前記第１の基地局へ、それぞれＲＩおよびＣＱＩを含んでいる複数のＣＳＩレポートを送信することと、を備え、
前記複数のＣＳＩレポートのそれぞれがサブバンドインデックスをさらに備える、無線通信方法。
【請求項４】
第１の基地局と第２の基地局との多地点協調送受信をサポートする、ユーザ機器において実装される無線通信方法であって、
前記第１の基地局へランク指示（ＲＩ）情報を送信すること、
前記第１の基地局へチャネル品質指標（ＣＱＩ）情報を送信することと、を備え、
少なくとも当該ユーザ機器を含む所与のユーザ機器（ＵＥ）識別情報（ＩＤ）および所与のチャネル状態情報（ＣＳＩ）プロセスに関して、前記第１の基地局から前記第２の基地局へ、それぞれＲＩおよびＣＱＩを含んでいる複数のＣＳＩレポートを送信し、
前記複数のＣＳＩレポートのそれぞれがサブバンドインデックスをさらに備える、無線通信方法。
【請求項５】
前記複数のＣＳＩレポートの数が最大２である、請求項１、３および４のいずれか１項に記載の無線通信方法。
【請求項６】
前記複数のＣＳＩレポートで、前記ＲＩおよび前記ＣＱＩをそれぞれ異ならせることができる、請求項１、３および４のいずれか１項に記載の無線通信方法。
【請求項７】
ＣＳＩレポートごとに、前記ＲＩが、報告されている前記ＣＱＩに対応する、請求項１、３および４のいずれか１項に記載の無線通信方法。
【請求項８】
各ＣＳＩレポートにおいて、前記ＲＩおよび前記ＣＱＩが相互に一致する、請求項１、３および４のいずれか１項に記載の無線通信方法。
【請求項９】
サブバンドの最大数が１４であり、前記サブバンドインデックスの値が０〜２７の整数である、請求項１、３および４のいずれか１項に記載の無線通信方法。
【請求項１０】
前記複数のＣＳＩレポートが、コードワード１の４ビットで構成されるサブバンドＣＱＩをさらに備える、請求項１、３および４のいずれか１項に記載の無線通信方法。
【請求項１１】
多地点協調送受信（ＣｏＭＰ）をサポートし、無線通信システムで使用される第１の基地局であって、
第２の基地局から、所与のユーザ機器（ＵＥ）識別情報（ＩＤ）および所与のチャネル状態情報（ＣＳＩ）プロセスに関して、それぞれランク指示（ＲＩ）およびチャネル品質指標（ＣＱＩ）を含んでいる複数のＣＳＩレポートを受信するための受信機を備え、
前記第２の基地局が１つまたは複数のユーザ機器（ＵＥ）からＲＩ情報およびＣＱＩ情報を受信し、
前記複数のＣＳＩレポートのそれぞれがサブバンドインデックスをさらに備える、第１の基地局。
【請求項１２】
前記ＲＩおよびＣＱＩに基づいてリソース割り当てを実行するためのコントローラをさらに備える、請求項１１に記載の第１の基地局。
【請求項１３】
多地点協調送受信（ＣｏＭＰ）をサポートし、無線通信システムで使用される第２の基地局であって、
１つまたは複数のユーザ機器（ＵＥ）からランク指示（ＲＩ）情報およびチャネル品質指標（ＣＱＩ）情報を受信するための受信機と、
第１の基地局へ、所与のユーザ機器（ＵＥ）識別情報（ＩＤ）および所与のチャネル状態情報（ＣＳＩ）プロセスに関して、それぞれＲＩおよびＣＱＩを含んでいる複数のＣＳＩレポートを送信するための送信機と、を備え、
前記複数のＣＳＩレポートのそれぞれがサブバンドインデックスをさらに備える、第２の基地局。
【請求項１４】
前記複数のＣＳＩレポートの数が最大２である、請求項１３に記載の第２の基地局。
【請求項１５】
前記複数のＣＳＩレポートで、前記ＲＩおよび前記ＣＱＩをそれぞれ異ならせることができる、請求項１３に記載の第２の基地局。
【請求項１６】
ＣＳＩレポートごとに、前記ＲＩが、報告されている前記ＣＱＩに対応する、請求項１３に記載の第２の基地局。
【請求項１７】
各ＣＳＩレポートにおいて、前記ＲＩおよび前記ＣＱＩが相互に一致する、請求項１３に記載の第２の基地局。
【請求項１８】
サブバンドの最大数が１４であり、前記サブバンドインデックスの値が０〜２７の整数である、請求項１３に記載の第２の基地局。
【請求項１９】
前記複数のＣＳＩレポートが、コードワード１の４ビットで構成されるサブバンドＣＱＩをさらに備える、請求項１３に記載の第２の基地局。
【請求項２０】
多地点協調送受信（ＣｏＭＰ）をサポートし、第１の基地局および第２の基地局を含んでいる無線通信システムに実装される無線通信方法であって、
１つまたは複数のユーザ機器（ＵＥ）から前記第２の基地局へ、ランク指示（ＲＩ）情報およびチャネル品質指標（ＣＱＩ）情報を送信することと、
所与のユーザ機器（ＵＥ）識別情報（ＩＤ）および所与のチャネル状態情報（ＣＳＩ）プロセスに関して、前記第２の基地局から前記第１の基地局へ、それぞれＲＩおよびＣＱＩを含んでいる複数のＣＳＩレポートを送信することと、を備え、
前記複数のＣＳＩレポートのそれぞれがサブバンドインデックスをさらに備える、無線通信方法。
【請求項２１】
多地点協調送受信（ＣｏＭＰ）をサポートする無線通信システムであって、
第１の基地局と、
前記第１の基地局へ、所与のユーザ機器（ＵＥ）識別情報（ＩＤ）および所与のチャネル状態情報（ＣＳＩ）プロセスに関して、それぞれランク指示（ＲＩ）およびチャネル品質指標（ＣＱＩ）を含んでいる複数のＣＳＩレポートを送信する第２の基地局と、
前記第２の基地局へＲＩ情報およびＣＱＩ情報を送信する１つまたは複数のユーザ機器（ＵＥ）とを備え、
前記複数のＣＳＩレポートのそれぞれがサブバンドインデックスをさらに備える、無線通信システム。
【請求項２２】
第１の基地局と第２の基地局との多地点協調送受信（ＣｏＭＰ）をサポートする、ユーザ機器であって、
前記第１の基地局へランク指示（ＲＩ）情報を送信し、前記第１の基地局へチャネル品質指標（ＣＱＩ）情報を送信する送受信部を備え、
少なくとも当該ユーザ機器を含む所与のユーザ機器（ＵＥ）識別情報（ＩＤ）および所与のチャネル状態情報（ＣＳＩ）プロセスに関して、前記第１の基地局から前記第２の基地局へ、それぞれＲＩおよびＣＱＩを含んでいる複数のＣＳＩレポートを送信し、
前記複数のＣＳＩレポートのそれぞれがサブバンドインデックスをさらに備える、ユーザ機器。
【発明の詳細な説明】
【技術分野】
【０００１】
本出願は、
２０１４年９月２５日に出願された米国仮出願第62／055,381号「Signalling for Inter-eNB CoM（ｅＮＢ間ＣｏＭＰの信号伝達）」、
２０１４年９月２６日に出願された米国仮出願第62／056,095号「Signalling for Inter-eNB CoMP（ｅＮＢ間ＣｏＭＰの信号伝達）」、
２０１４年１１月６日に出願された米国仮出願第62／076,221号「CSI Exchange for Inter-eNB CoMP（ｅＮＢ間ＣｏＭＰのＣＳＩ交換）」、
２０１４年１１月７日に出願された米国仮出願第62／076,873号「CSI Exchange for Inter-eNB CoMP（ｅＮＢ間ＣｏＭＰのＣＳＩ交換）」、
２０１５年１月３０日に出願された米国仮出願第62／110,006号「CSI Exchange for Inter-eNB CoMP（ｅＮＢ間ＣｏＭＰのＣＳＩ交換）」、
２０１５年４月９日に出願された米国仮出願第62／145,251号「Efficient CSI and e-RNTP Exchange for Inter-eNB CoMP（ｅＮＢ間ＣｏＭＰの効率的ＣＳＩおよびｅ−ＲＮＴＰ交換）」、
２０１５年４月１０日に出願された米国仮出願第62／145,580号「Efficient CSI and e-RNTP Exchange for Inter-eNB CoMP（ｅＮＢ間ＣｏＭＰの効率的ＣＳＩおよびｅ−ＲＮＴＰ交換）」、
２０１５年４月２０日に出願された米国仮出願第62／150,178号「CSI Exchange for Inter-eNB CoMP（ｅＮＢ間ＣｏＭＰのＣＳＩ交換）」、
２０１５年４月２３日に出願された米国仮出願第62／151,796号「Subband Definitions and eRNTP enhancements（サブバンド定義およびｅＲＮＴＰの拡張）」、
２０１５年５月１４日に出願された米国仮出願第62／161,804号「On the Subband Definition in CSI Signaling（ＣＳＩ信号伝達におけるサブバンド定義）」、
２０１５年５月１５日に出願された米国仮出願第62／162,285号「eRNTP Signalling for Inter-eNB CoMP（ｅＮＢ間ＣｏＭＰのｅＲＮＴＰ信号伝達）」、
２０１５年８月１３日に出願された米国仮出願第62／204,541号「Subband definition in CSI Signaling（ＣＳＩ信号伝達におけるサブバンド定義）」。
からの利益を主張し、これらすべての内容は、参照によって本明細書に包含される。
【０００２】
本発明は、無線通信または移動体通信における多地点協調送受信（ＣｏＭＰ：ｃｏｏｒｄｉｎａｔｅｄ  ｍｕｌｔｉ−ｐｏｉｎｔ  ｔｒａｎｓｍｉｓｓｉｏｎ  ａｎｄ  ｒｅｃｅｐｔｉｏｎ）に関連しており、さらに具体的には、ｅＮＢ（Ｅ−ＵＴＲＡＮ  ＮｏｄｅＢまたはｅＮｏｄｅＢ）間ＣｏＭＰの信号伝達に関連している。
【背景技術】
【０００３】
図１を参照すると、実施形態を実装できるＣｏＭＰ協調ゾーンまたはエリア、あるいはＣｏＭＰ協調集合４０２を備えているＣｏＭＰ移動体通信システム４００が示されている。１つまたは複数のユーザ機器（ＵＥ：ｕｓｅｒ  ｅｑｕｉｐｍｅｎｔｓ）４１０が、１つまたは複数のＴＰまたはセル４０４〜４０８によって接続される。ＴＰ４０４〜４０８は、基地局またはｅＮＢにすることができる。各ユーザ機器は、例えば送信機および受信機を含み、各基地局またはｅＮＢ１０４は、例えば送信機および受信機を含む。
【０００４】
送信層は、「送信層」または「層」と呼ばれる場合がある。送信層の数は、「送信ランク」または「ランク」と呼ばれる。コードブックは、プリコーディングマトリックスまたはプリコーダのセットである。プリコーディングマトリックスは、コードワードとも呼ばれる。
【先行技術文献】
【非特許文献】
【０００５】
【非特許文献１】RP-141032、「New Work Item on Enhanced Signaling for Inter-eNB CoMP（ｅＮＢ間ＣｏＭＰの信号伝達の拡張に関する作業項目）」、２０１４年６月。
【非特許文献２】R3-142582、「Way forward on WI: Enhanced signalling for inter-eNB CoMP（ＷＩに関する展望：ｅＮＢ間ＣｏＭＰの信号伝達の拡張）」、２０１４年１０月。
【非特許文献３】Rl-141206、「Signaling Considerations for Inter-eNB CoMP（ｅＮＢ間ＣｏＭＰの信号伝達に関する検討事項）」、ＮＥＣ、２０１４年３月。
【非特許文献４】R3-151209、変更要求、２０１５年５月。
【発明の概要】
【０００６】
本発明の目的は、ｅＮＢ間における、効率的なチャネル状態情報（ＣＳＩ：ｃｈａｎｎｅｌ  ｓｔａｔｅ  ｉｎｆｏｒｍａｔｉｏｎ）および／または相対的狭帯域送信電力（ＲＮＴＰ：ｒｅｌａｔｉｖｅ  ｎａｒｒｏｗｂａｎｄ  Ｔｘ（ｔｒａｎｓｍｉｔ）ｐｏｗｅｒ）、の交換を提供することである。
【０００７】
本発明の態様は、第１の基地局および第２の基地局を含んでいる無線通信システムにおいて、多地点協調送受信（ＣｏＭＰ）をサポートする第１の基地局に実装される無線通信方法を含む。無線通信方法は、所与のユーザ機器（ＵＥ：ｕｓｅｒ  ｅｑｕｉｐｍｅｎ）識別情報（ＩＤ：ｉｄｅｎｔｉｆｉｃａｔｉｏｎ）および所与のチャネル状態情報（ＣＳＩ：ｃｈａｎｎｅｌ  ｓｔａｔｅ  ｉｎｆｏｒｍａｔｉｏｎ）プロセスに関して、第２の基地局から、それぞれランク指示（ＲＩ：ｒａｎｋ  ｉｎｄｉｃａｔｉｏｎ）およびチャネル品質指標（ＣＱＩ：ｃｈａｎｎｅｌ  ｑｕａｌｉｔｙ  ｉｎｄｉｃａｔｏｒ）を含んでいる複数のＣＳＩレポートを受信することを備え、第２の基地局は１つまたは複数のユーザ機器（ＵＥ）からＲＩ情報およびＣＱＩ情報を受信する。
【０００８】
本発明の別の態様は、第１の基地局および第２の基地局を含んでいる無線通信システムにおいて、多地点協調送受信（ＣｏＭＰ）をサポートする第２の基地局に実装される無線通信方法を含む。無線通信方法は、１つまたは複数のユーザ機器（ＵＥ）からランク指示（ＲＩ）情報およびチャネル品質指標（ＣＱＩ）情報を受信することと、所与のユーザ機器（ＵＥ）識別情報（ＩＤ）および所与のチャネル状態情報（ＣＳＩ）プロセスに関して、第１の基地局に、それぞれＲＩおよびＣＱＩを含んでいる複数のＣＳＩレポートを送信することとを備えている。
【０００９】
さらに、本発明の別の態様は、多地点協調送受信（ＣｏＭＰ）をサポートし、無線通信システムで使用される第１の基地局を含む。第１の基地局は、第２の基地局から、所与のユーザ機器（ＵＥ）識別情報（ＩＤ）および所与のチャネル状態情報（ＣＳＩ）プロセスに関して、それぞれランク指示（ＲＩ）およびチャネル品質指標（ＣＱＩ）を含んでいる複数のＣＳＩレポートを受信するための受信機を備え、第２の基地局は１つまたは複数のユーザ機器（ＵＥ）からＲＩ情報およびＣＱＩ情報を受信する。
【００１０】
さらに、本発明の別の態様は、多地点協調送受信（ＣｏＭＰ）をサポートし、無線通信システムで使用される第２の基地局を含む。第２の基地局は、１つまたは複数のユーザ機器（ＵＥ）からランク指示（ＲＩ）情報およびチャネル品質指標（ＣＱＩ）を受信するための受信機と、第１の基地局へ、所与のユーザ機器（ＵＥ）識別情報（ＩＤ）および所与のチャネル状態情報（ＣＳＩ）プロセスに関して、それぞれＲＩおよびＣＱＩを含む複数のＣＳＩレポートを送信するための送信機とを備えている。
【００１１】
さらに、本発明の別の態様は、多地点協調送受信（ＣｏＭＰ）をサポートし、第１の基地局および第２の基地局を含んでいる無線通信システムに実装される無線通信方法を含む。この無線通信は、１つまたは複数のユーザ機器（ＵＥ）から第２の基地局へ、ランク指示（ＲＩ）情報およびチャネル品質指標（ＣＱＩ）情報を送信することと、所与のユーザ機器（ＵＥ）識別情報（ＩＤ）および所与のチャネル状態情報（ＣＳＩ）プロセスに関して、第２の基地局から第１の基地局へ、それぞれＲＩおよびＣＱＩを含んでいる複数のＣＳＩレポートを送信することとを備えている。
【００１２】
さらに、本発明の別の態様は、多地点協調送受信（ＣｏＭＰ）をサポートする無線通信システムを含む。この無線通信システムは、第１の基地局と、第１の基地局へ、所与のユーザ機器（ＵＥ）識別情報（ＩＤ）および所与のチャネル状態情報（ＣＳＩ）プロセスに関して、それぞれランク指示（ＲＩ）およびチャネル品質指標（ＣＱＩ）を含んでいる複数のＣＳＩレポートを送信する第２の基地局と、第２の基地局へ、ＲＩ情報およびＣＱＩ情報を送信する１つまたは複数のユーザ機器（ＵＥ）とを備えている。
【００１３】
本発明の態様は、第１の基地局および第２の基地局を含んでいる無線通信システムにおいて、多地点協調送受信（ＣｏＭＰ）をサポートする第１の基地局に実装される無線通信方法を含む。この無線通信方法は、第２の基地局から、複数の相対的狭帯域送信電力（ＲＮＴＰ）しきい値を示す情報要素（ＩＥ：ｉｎｆｏｒｍａｔｉｏｎ  ｅｌｅｍｅｎｔ）を受信することと、干渉認識スケジューリングを実行することとを備えている。
【００１４】
本発明の別の態様は、第１の基地局および第２の基地局を含んでいる無線通信システムにおいて、多地点協調送受信（ＣｏＭＰ）をサポートする第２の基地局に実装される無線通信方法を含む。この無線通信方法は、第１の基地局へ、複数の相対的狭帯域送信電力（ＲＮＴＰ）しきい値を示す情報要素（ＩＥ）を送信することを備えており、第１の基地局は干渉認識スケジューリングを実行する。
【００１５】
さらに、本発明の別の態様は、多地点協調送受信（ＣｏＭＰ）をサポートし、無線通信システムで使用される第１の基地局を含む。第１の基地局は、第２の基地局から、複数の相対的狭帯域送信電力（ＲＮＴＰ）しきい値を示す情報要素（ＩＥ）を受信するための受信機と、干渉認識スケジューリングを実行するためのコントローラとを備えている。
【００１６】
さらに、本発明の別の態様は、多地点協調送受信（ＣｏＭＰ）をサポートし、無線通信システムで使用される第２の基地局を含む。第２の基地局は、第１の基地局へ、複数の相対的狭帯域送信電力（ＲＮＴＰ）しきい値を示す情報要素（ＩＥ）を送信するための送信機を備えており、第１の基地局は干渉認識スケジューリングを実行する。
【００１７】
さらに、本発明の別の態様は、多地点協調送受信（ＣｏＭＰ）をサポートし、第１の基地局および第２の基地局を含んでいる無線通信システムに実装される無線通信方法を含む。この無線通信は、第２の基地局から第１の基地局へ、複数の相対的狭帯域送信電力（ＲＮＴＰ）しきい値を示す情報要素（ＩＥ）を送信することと、第１の基地局で干渉認識スケジューリングを実行することとを備えている。
【００１８】
さらに、本発明の別の態様は、多地点協調送受信（ＣｏＭＰ）をサポートする無線通信システムを含む。この無線通信システムは、第１の基地局と、第１の基地局へ、複数の相対的狭帯域送信電力（ＲＮＴＰ）しきい値を示す情報要素（ＩＥ）を送信する第２の基地局とを備えており、第１の基地局は干渉認識スケジューリングを実行する。
【００１９】
本発明の態様は、第１の基地局および第２の基地局を含んでいる無線通信システムにおいて、多地点協調送受信（ＣｏＭＰ）をサポートする第１の基地局に実装される無線通信方法を含む。この無線通信方法は、第２の基地局から、ＵＥに関するユーザ機器（ＵＥ）識別情報（ＩＤ）を基準信号受信電力（ＲＳＲＰ：ｒｅｆｅｒｅｎｃｅ  ｓｉｇｎａｌ  ｒｅｃｅｉｖｅｄ  ｐｏｗｅｒ）レポートにおいて受信することと、ＵＥ  ＩＤを使用してＲＳＲＰレポートをＵＥに関する別の測定結果にリンクすることとを備えている。
【００２０】
本発明の別の態様は、第１の基地局および第２の基地局を含んでいる無線通信システムにおいて、多地点協調送受信（ＣｏＭＰ）をサポートする第２の基地局に実装される無線通信方法を含む。この無線通信方法は、第１の基地局へ、ＵＥに関するユーザ機器（ＵＥ）識別情報（ＩＤ）を基準信号受信電力（ＲＳＲＰ）レポートにおいて送信することを備えており、第１の基地局は、ＵＥ  ＩＤを使用してＲＳＲＰレポートをＵＥに関する別の測定結果にリンクする。
【００２１】
さらに、本発明の別の態様は、多地点協調送受信（ＣｏＭＰ）をサポートし、無線通信システムで使用される第１の基地局を含む。第１の基地局は、第２の基地局から、ＵＥに関するユーザ機器（ＵＥ）識別情報（ＩＤ）を基準信号受信電力（ＲＳＲＰ）レポートにおいて受信するための受信機と、ＵＥ  ＩＤを使用してＲＳＲＰレポートをＵＥに関する別の測定結果にリンクするためのコントローラとを備えている。
【００２２】
さらに、本発明の別の態様は、多地点協調送受信（ＣｏＭＰ）をサポートし、無線通信システムで使用される第２の基地局を含む。第２の基地局は、第１の基地局へ、ＵＥに関するユーザ機器（ＵＥ）識別情報（ＩＤ）を基準信号受信電力（ＲＳＲＰ）レポートにおいて送信するための送信機を備えており、第１の基地局はＵＥ  ＩＤを使用してＲＳＲＰレポートをＵＥに関する別の測定結果にリンクする。
【００２３】
さらに、本発明の別の態様は、多地点協調送受信（ＣｏＭＰ）をサポートし、第１の基地局および第２の基地局を含んでいる無線通信システムに実装される無線通信方法を含む。この無線通信は、第２の基地局から第１の基地局へ、ＵＥに関するユーザ機器（ＵＥ）識別情報（ＩＤ）を基準信号受信電力（ＲＳＲＰ）レポートにおいて送信することと、第１の基地局でＵＥ  ＩＤを使用してＲＳＲＰレポートをＵＥに関する別の測定結果にリンクすることとを備えている。
【００２４】
さらに、本発明の別の態様は、多地点協調送受信（ＣｏＭＰ）をサポートする無線通信システムを含む。この無線通信システムは、第１の基地局と、第１の基地局へ、ＵＥに関するユーザ機器（ＵＥ）識別情報（ＩＤ）を基準信号受信電力（ＲＳＲＰ）レポートにおいて送信する第２の基地局とを備えており、第１の基地局はＵＥ  ＩＤを使用してＲＳＲＰレポートをＵＥに関する別の測定結果にリンクする。
【図面の簡単な説明】
【００２５】
【図１】ＣｏＭＰによるシステムのブロック図を示す。
【発明を実施するための形態】
【００２６】
実施形態Ａ
【００２７】
Ａ１．概要
【００２８】
以下では、チャネル状態情報（ＣＳＩ）および拡張相対的狭帯域送信電力（ｅＲＮＴＰ：ｅｎｈａｎｃｅｄ  ｒｅｌａｔｉｖｅ  ｎａｒｒｏｗｂａｎｄ  Ｔｘ  （ｔｒａｎｓｍｉｔ））交換に対する考え方に加えて、必要なメッセージ構造を含んでいる提案について説明する。
【００２９】
Ａ２．説明
【００３０】
Ａ２．１  ＣＳＩ交換
【００３１】
１つのｅＮＢは、１人または複数のユーザに関連するＣＳＩレポートを、隣接するｅＮＢに送信できる。
【００３２】
ＵＥごとに、ｅＮＢが送信するＣＳＩは以下を含むことができる。
【００３３】
ＣＱＩ（ｃｈａｎｎｅｌ ｑｕａｌｉｔｙ ｉｎｄｉｃａｔｉｏｎ：チャネル品質指標）：最大２つのＣＱＩ。それぞれ、広帯域ＣＱＩまたは広帯域成分および可能なサブバンド差分ＣＱＩまたはサブバンド差分成分を含んでいる。
【００３４】
ＲＩ：広帯域成分（ｗｉｄｅｂａｎｄ ｃｏｍｐｏｎｅｎｔ）
【００３５】
ＰＭＩはＣＳＩ交換レポートから除外された。この除外は、オーバーヘッドを最小限に抑えること、およびＰＭＩが高速に変化するチャネル情報によって決まる場合があるため、待ち時間の大きな理想的ではないバックホール上では有用性が低下するという事実によって正当化された。ただし、ＰＭＩが存在しない場合、ＲＩの使用は制限される。実際、１よりも大きなランクは２つのＣＱＩ（２つのコードワードそれぞれに１つ）のみを伝送する。このユーザから見える（平均）空間方向に関する詳細は、レポートを受信するｅＮＢによって推定できない。そのため、ＲＩの報告はオプションにする必要がある。さらに、ＣＳＩレポートを要求するｅＮＢは、ＲＩレポートを受信するかどうかを指定できる必要がある。これは、ビット（例えば、ＣＳＩ測定レポートタイプフィールド内のビット）を、ランクが要求されない場合に０に設定し、そうでない場合に１に設定することによって実現できる。同様に、ＣＳＩレポートを要求するｅＮＢは、サブバンド固有のＣＱＩレポートを要求するかどうかを指定できる必要がある。別のビットを、サブバンドＣＱＩが要求されない場合に０に設定し、そうでない場合に１に設定することができる。要求を受信するｅＮＢの応答を、この要求に強制的に従わせることができる。すなわち、このｅＮＢは、対応する要求のＣＳＩ測定レポートタイプフィールド内でランク指示が要求された場合にのみ、ランク指示をその応答に含めることを決定できる。さらに、サブバンド固有のＣＱＩが、対応する要求のＣＳＩ測定レポートタイプフィールド内で要求された場合にのみ、サブバンド固有のＣＱＩを含めることができる。
【００３６】
この明細書において、あるＣＳＩプロセスを別のＣＳＩプロセスの参照プロセスであると定義できる。その場合、後者のプロセスは、その参照プロセスに対して決定されたランクを再利用する。Ｘ２信号伝達において参照ランクを利用することも、有益である場合がある。これを実現するための１つの方法は、単一のランクが要求されているかどうかを指定する別のビットをＣＳＩ測定レポートタイプフィールドに含めることである。具体的には、ランク要求ビットも１に設定されている場合にのみ、このビットを１に設定できる。その場合、要求を受信するｅＮＢは、要求元のｅＮＢが、ユーザごとに１つのランクのみが報告されるＣＳＩレポートを要求しているということを理解する必要がある。要求を受信するｅＮＢの応答を、この要求に強制的に従わせることができる。すなわち、ｅＮＢがランク指示をその応答に含めることを決定した場合、ユーザごとに１つの指示が存在する必要がある。
【００３７】
あるいは、そのような強制を行わないようにすることができる。その場合、ランク指示を各ユーザの各ＣＳＩプロセスに対応するＣＳＩに含めるかどうかはｅＮＢに任され、特定のユーザに関して示されるランクが同一である必要はない。
【００３８】
ＣＳＩ交換の目標の１つは、集中型ＲＲＭを容易にすることだった。集中型ＲＲＭを含むシナリオでは、ＣＳＩレポートを受信する中央ノードは、受信されるＣＳＩレポート全体にわたって、特定のＵＥごとに受信されたＣＳＩ情報を記録できる必要がある。これは、ＣＳＩレポートで伝達されるＣＳＩを持つＵＥごとに、ＵＥ識別子を各ＣＳＩレポートに含めることによって実現できる。
【００３９】
さらに、ＵＥによってＣＳＩが測定された条件を伝達するために、レポート内のＣＳＩごとに、ＣＳＩプロセス構成情報を含める必要がある。この構成情報は、非ゼロ電力ＣＳＩ-ＲＳ情報およびＩＭＲ情報を含んでいる（例えば、サブフレームインデックスおよびゼロ電力ＣＳＩ-ＲＳ情報を含む）。この構成は、上位層信号伝達（例えば、ＴＳ３６．２１３の表７．２．６、およびＴＳ３６．２１１の表６．１０．５．２−１、６．１０．５．２−２内のＣＳＩ−ＲＳ、ならびにＴＳ３６．２１３の表７．２．６、およびＴＳ３６．２１１の表６．１０．５．３−１内のサブフレームインデックス）を介して常にＵＥに伝えられるため、同じ信号伝達を再利用して、構成を隣接するｅＮＢに伝達できる。別の方法では、ルックアップテーブルを介してこの構成情報を伝達する。適用される個別のＣＳＩプロセス構成にインデックスをマッピングするルックアップテーブルは、ｅＮＢごとに構築できる。ここで、適用されるＣＳＩプロセスとは、ＣＳＩを測定するために少なくとも１つの、接続されたＵＥによって使用されるプロセスのことである。そのようなテーブルは、事前にＣＳＩプロセスによってｅＮＢ１に伝達することができ、そのため、各レポートは情報を伝えるインデックスを含むことができる。そのようなテーブルは、最初に隣接するｅＮＢ間で交換することもでき、その後、構成情報をインデックスを介して交換できる。
【００４０】
ｅＮＢ１による隣接するｅＮＢ２に対する要求で（ＣＳＩ測定レポートフィールドの報告の周期性を介して）指定される周期は、ＣＳＩがＣＳＩプロセスに従ってＵＥによって測定され、（無線を経由して）ｅＮＢ２に報告される際に使用される周期性とは異なる場合がある。このようなシナリオに対処するために、ｅＮＢ２は、例えばＣＳＩプロセス構成情報に関して、サブサンプリングする（例えば、受信された最新のＣＳＩを選択する）か、または（以前の応答を決定する際に考慮されたＣＳＩの後に受信されたＣＳＩ全体について）平均化し、その応答をｅＮＢ１に送信することができる。所与のコードワード、所与のランク、および所与のサブバンドに関するＣＱＩについて平均化を実行できるということに注意する。受信された最新のランクを使用して平均化を実行できる。
【００４１】
Ａ２．２  ｅＲＮＴＰ交換
【００４２】
本発明のｅＲＮＴＰ交換に対する考え方は、対応する提案において説明される。
【００４３】
最初のサブフレームのＲＮＴＰは、常に伝達される。その後のサブフレームに対するダウンリンク（ＤＬ）電力制約に関する情報が伝達されない場合、最初のサブフレームで伝達されたＤＬ電力制約が静的なままである（すなわち、その後のサブフレームに適用できる）と仮定できる。
【００４４】
Ａ３．結論
【００４５】
ｅＮＢ間ＣｏＭＰでＣＳＩおよびｅＲＮＴＰ交換をサポートするために必要なＸ２メッセージについて説明し、対応する提案を提示した。
【００４６】
提案
【００４７】
９．１．２．１  負荷情報
【００４８】
このメッセージは、負荷情報および干渉協調情報を転送するために、ｅＮＢによって隣接するｅＮＢに送信される。
【００４９】
方向：ｅＮＢ１→ｅＮＢ２
【００５０】
【表１Ａ】
0006500934.tif 000002
【表１Ｂ】
0006500934.tif 000003
【００５１】
９．１．２．１１  リソース状態要求
【００５２】
このメッセージは、このメッセージで与えられたパラメータに従って要求された測定を開始するために、ｅＮＢ１によって隣接するｅＮＢ２に送信される。
【００５３】
方向：ｅＮＢ１→ｅＮＢ２
【００５４】
【表２Ａ】
0006500934.tif 000004
【表２Ｂ】
0006500934.tif 000005
【表２Ｃ】
0006500934.tif 000006
【００５５】
９．１．２．１４  リソース状態の更新
【００５６】
このメッセージは、要求された測定の結果を報告するために、ｅＮＢ２によって隣接するｅＮＢ１に送信される。
【００５７】
方向：ｅＮＢ２→ｅＮＢ１
【００５８】
【表３Ａ】
0006500934.tif 000007
【表３Ｂ】
0006500934.tif 000008
【００５９】
９．２．ｘ１  ＵＥ−ＣＳＩレポート
【００６０】
この情報要素（ＩＥ）は、ｅＮＢ２によって接続されたＵＥのサブセットまたはセットに関するＵＥ−ＣＳＩ情報を提供する。
【００６１】
【表４Ａ】
0006500934.tif 000009
【表４Ｂ】
0006500934.tif 000010
【００６２】
代わりにｍａｘＵＥｓｕｂｓｅｔＣＳＩＲｅｐｏｒｔは、１６、２０、３０、３５、または４０に設定できる。
【００６３】
９．２．ｘ２  拡張相対的狭帯域送信電力（Ｅ−ＲＮＴＰ）
【００６４】
このＩＥ（情報要素）は、セル内のサブフレームごとのＰＲＢ（物理リソースブロック：ｐｈｙｓｉｃａｌ  ｒｅｓｏｕｒｃｅ  ｂｌｏｃｋ）ごとのＤＬ電力制約に関する指示および隣接するｅＮＢによって必要とされる干渉認識スケジューリングに関するその他の情報を提供する。
【００６５】
【表５Ａ】
0006500934.tif 000011
【表５Ｂ】
0006500934.tif 000012
【表５Ｃ】
0006500934.tif 000013
【表５Ｄ】
0006500934.tif 000014
【００６６】
実施形態Ｂ
【００６７】
Ｂ１．概要
【００６８】
以下では、ＣＳＩおよびｅＲＮＴＰ交換に対する考え方に加えて、必要なメッセージ構造を含んでいる提案について説明する。
【００６９】
Ｂ２．説明
【００７０】
Ｂ２．１  ＣＳＩ交換ＣＳＩプロセスの構成
【００７１】
ＣＳＩプロセスの概念は、ＵＥからその接続ｅＮＢへのＣＳＩフィードバックを可能にするために、Ｒｅｌｅａｓｅ  １１において定義された。ＣＳＩフィードバックは、ＣＳＩプロセスごとに、そのプロセスで構成されている接続ＴＰおよび干渉仮説に従って決定される。ＵＥに対して構成されている各ＣＳＩプロセスは、非ゼロ電力ＣＳＩ−ＲＳが送信されるリソース要素のセットを含んでおり、それらのリソース要素で受信された観測を使用して、このＵＥによってチャネル推定が取得される。
【００７２】
加えて、リソース要素のセットは、ＵＥが観測している干渉の共分散を推定するＣＳＩプロセス（干渉測定リソース（ＩＭＲ）と呼ばれる）によっても示される。チャネル推定および共分散推定は、そのＣＳＩプロセスに対応するフィードバックレポートを決定および送信するために、ＵＥによって一緒に使用される。そのような複数のＣＳＩプロセス（最大４つ）をＵＥに対して構成することができ、各プロセスは信号または干渉仮説のさまざまな選択に対応する。さらに、接続ＴＰの高速スイッチングが不可能なシナリオでは、所与のＵＥに対して構成された異なるＣＳＩプロセスは、通常は干渉仮説の異なる選択に対応する。
【００７３】
上記の簡単な説明では、構成されたＣＳＩプロセスの干渉仮説が、隣接するｅＮＢによって制御されるＴＰ（対象のＵＥに対する支配的な干渉源）からのミューティングを仮定している場合、構成要素であるＩＭＲに対してＵＥによって推定された干渉が仮定された仮説に一致することを保証するために、ｅＮＢ間の協調が必要である、ということに注意する。協調を必要とする別の類似した事象は、ＵＥでの信頼性のあるチャネル推定を保証するために、ＣＳＩプロセスで示された非ゼロ電力ＣＳＩ−ＲＳが、干渉保護されなければならない場合である。これら両方の事象において、隣接するｅＮＢによって制御される支配的な干渉源は、特定のリソース要素に関してミューティングされなければならない。したがって、ｅＮＢ間で（非ゼロ電力ＣＳＩ−ＲＳおよびＩＭＲを含んでいる）ＣＳＩ−ＲＳ構成を共有するための（適切な信号伝達を伴う）メカニズムを使用できる必要がある。このメカニズムによって、複数のｅＮＢでのＣＳＩプロセスの構成が容易になる。
【００７４】
ＣＳＩプロセスが構成されると、ｅＮＢ間でバックホールを経由して交換されるＣＳＩは、ＵＥによってＣＳＩが測定された条件を伝達するために、各ＣＳＩプロセス構成情報を含む必要がある。この構成情報は、非ゼロ電力ＣＳＩ−ＲＳ情報およびＩＭＲ情報（サブフレームインデックスおよびゼロ電力ＣＳＩ−ＲＳ情報を含んでいる）を含む。いずれにせよ、この構成はＲＲＣ（または上位層）信号伝達によってＵＥに伝えられるため、同じ情報を、構成を隣接するｅＮＢに伝達するためのコンテナとして再利用できる。
【００７５】
別の方法では、ルックアップテーブルを介してこの構成情報を伝達する。適用される１つまたは複数の異なるＣＳＩプロセス構成にインデックスをマッピングするルックアップテーブルは、ｅＮＢごとに構築できる。ここで、適用されるＣＳＩプロセスとは、ＣＳＩを測定するために、このｅＮＢによって接続された少なくとも１つのＵＥによって使用されるプロセスのことである。そのようなテーブルは、最初に隣接するｅＮＢ間で交換することができ、その後、構成情報をインデックスを介して交換できる。信号伝達のオーバーヘッドを制限するために、テーブル内の構成の総数を制限することができる。
【００７６】
このテーブル内の構成の数の適切な値は、８または１６または３２である。
【００７７】
Ｂ２．２  ＣＳＩ交換：内容
【００７８】
１つのｅＮＢは、１つまたは複数のＵＥに関連するＣＳＩレポートを隣接するｅＮＢに送信できる。ＵＥごとに、ｅＮＢが隣接するｅＮＢに送信するＣＳＩは以下を含むことができる。
【００７９】
（ｉ）ＣＱＩ：最大２つのＣＱＩ。それぞれ、広帯域成分および可能なサブバンド差分成分を含んでいる。
【００８０】
（ｉｉ）ＲＩ（ランク指示）：１つの広帯域成分
【００８１】
ＰＭＩはＣＳＩ交換レポートから除外された（非特許文献１参照）。この除外は、オーバーヘッドを最小限に抑えること、およびＰＭＩが高速に変化するチャネル情報によって決まる場合があるため、待ち時間の大きな理想的ではないバックホール上では有用性が低下するという事実によって正当化された。ただし、ＰＭＩが存在しない場合、ＲＩの使用は制限される。実際、１よりも大きなランクは、２つのＣＱＩ（２つのコードワードそれぞれに１つ）のみを伝達する。このＵＥから見える（平均）空間方向に関する詳細は、レポートを受信するｅＮＢによって推定できない。そのため、ＲＩの報告はオプションにする必要がある。さらに、ＣＳＩレポートを要求するｅＮＢは、ＲＩレポートを受信するかどうかを指定できる必要がある。同様に、ＣＳＩレポートを要求するｅＮＢは、サブバンド固有のＣＱＩレポートを要求するかどうかを指定できる必要がある。これは、（測定要求内の）ビットを、ランクが要求されない場合は０に設定し、そうでない場合は１に設定することによって実現できる。別のビットを、サブバンドＣＱＩが要求されない場合に０に設定し、そうでない場合に１に設定することができる。
【００８２】
交換の前に、ｅＮＢで（無線信号伝達によって受信される）短期ＣＳＩの処理（フィルタリングまたはサブサンプリング）が許可される必要がある。
【００８３】
これに関する１つの使用事例は、ｅＮＢ１によって隣接するｅＮＢ２に対して要求されるＣＳＩレポートの周期性が、ｅＮＢ２によって構成された無線ＣＳＩ信号伝達の周期性よりも大きな場合である。この場合、ｅＮＢ２は、ｅＮＢ１にレポートを送信する前に、受信したレポートのなんらかの処理（サブサンプリングまたは平均化など）を実行する必要がある。この明細書において、ｅＮＢ２によって使用されるサブサンプリングが、ｅＮＢ１によって理解される必要がある（必要に応じて、これを保証するために追加信号伝達を追加できる）。これを（信号伝達のオーバーヘッドを伴わずに）実現できる１つの可能な方法は、ｅＮＢ２が、要求された周期性およびＣＳＩプロセス構成が入力として与えられてサブサンプリング係数を出力する事前に定められたルール（前もってすべてのｅＮＢに知られているか、構成されている）によって決定されたサブサンプリング係数を使用することである。一方、ｅＮＢ２によって使用される平均化またはスケーリングまたはフィルタリングは、受信側ｅＮＢ１に対して透過的にすることができる。
【００８４】
ＣＳＩ交換の目標の１つは、集中型ＲＲＭを容易にすることである（非特許文献３参照）。集中型ＲＲＭを含むシナリオでは、ＣＳＩレポートを受信する中央ノードは、受信されるＣＳＩレポート全体にわたって、特定のＵＥごとに受信されたＣＳＩ情報を記録できる必要がある。これは、ＣＳＩレポートで伝達されるＣＳＩを持つＵＥごとに、ＵＥ識別子を各ＣＳＩレポートに含めることによって実現できる。受信したすべてのレポートのうちで、どのレポートがユーザに属しているかを受信側ノードがわかるように、ユーザごとに一意のＩＤ（識別情報または識別子）を含める必要がある。これは、ＲＲＭに役立つ。これを行わないと、受信側ｅＮＢは、受信された各レポートを、異なるユーザに属していると見なすようになる。これは、最適でないリソース割り当てをもたらす場合がある。
【００８５】
Ｂ２．３  ｅＲＮＴＰ交換
【００８６】
ｅＲＮＴＰ交換に対する考え方は、この実施形態の最後に添付された対応する提案において説明される。
【００８７】
最初のサブフレームのＲＮＴＰ（すなわち、ダウンリンク（ＤＬ）電力制約）は、常に伝達される。その後のサブフレームに対するＤＬ電力制約に関する情報が伝達されない場合、最初のサブフレームに関して伝達されたＤＬ電力制約が静的なままである（すなわち、その後のサブフレームに適用できる）と仮定できる。
【００８８】
複数の変形も提示し、それらのうちの１つは、複数のしきい値の使用を含んでいる。
【００８９】
Ｂ３．結論
【００９０】
ｅＮＢ間ＣｏＭＰでＣＳＩおよびｅＲＮＴＰ交換をサポートするために必要なＸ２メッセージについて説明し、対応する提案を提示した。
【００９１】
提案
【００９２】
９．１．２．１１  リソース状態要求
【００９３】
このメッセージは、このメッセージで与えられたパラメータに従って要求された測定を開始するために、ｅＮＢ１によって隣接するｅＮＢ２に送信される。
【００９４】
方向：ｅＮＢ１→ｅＮＢ２
【００９５】
【表６Ａ】
0006500934.tif 000015
【表６Ｂ】
0006500934.tif 000016
【００９６】
９．１．２．１４  リソース状態の更新
【００９７】
このメッセージは、要求された測定の結果を報告するために、ｅＮＢ２によって隣接するｅＮＢ１に送信される。
【００９８】
方向：ｅＮＢ２→ｅＮＢ１
【００９９】
【表７】
0006500934.tif 000017
【０１００】
９．２．ｘ１  ＵＥ−ＣＳＩレポート
【０１０１】
このＩＥは、ｅＮＢ２によって接続されたＵＥのセットに関するＵＥ−ＣＳＩ情報を提供する。
【０１０２】
【表８Ａ】
0006500934.tif 000018
【表８Ｂ】
0006500934.tif 000019
【０１０３】
代わりに、パラメータｍａｘＵＥｓｕｂｓｅｔＣＳＩＲｅｐｏｒｔを８、１６、３２、４８、６４、または２５６にすることができる。さらに、必要に応じて、例えば８ビットまたは６ビットまたは５ビット（構成可能なテーブルからの２５６個または６４個または３２個の可能なインデックスと同等）を使用して、ＵＥ  ＩＤの表現をさらに短縮することができる。
【０１０４】
次に、サブバンドインデックスが示される必要がある場合について検討する。これは、ＵＥで選択されたサブバンドのフィードバックを伴うフィードバックモードに対応するために重要である。
【０１０５】
【表９】
0006500934.tif 000020
【０１０６】
上記テーブルの代替として、ＣＱＩごとに、４ビット（２ビット）のビット列フィールドを、ＩＮＴＥＧＥＲ  （０．．１５，  ．．．）（ＩＮＴＥＧＥＲ  （０．．７，  ．．．））で置き換えることができることに注意する。
【０１０７】
別の代替では、サブバンドインデックスは、次で説明される組み合わせインデックスを用いて伝達できる。
【０１０８】
ここで、アイデアは、送信側ｅＮＢ２で使用可能なダウンリンクにおけるＰＲＢ（または、略してＲＢ（リソースブロック））の数（受信側ｅＮＢ１に知られる、または別途伝達されるパラメータ）に応じて、サブバンドサイズと一緒に作成できるすべての可能なサブバンド選択のセットが、すべてのフィードバックモードで、ｅＮＢ１によって推定できるということである。
【０１０９】
例えば、１１０個のＲＢがｅＮＢ２で使用できる場合（この数は、ｅＮＢ１に伝達される）、ｅＮＢ１は、次のように構成されたＵＥに対して、以下のように推定できる。
【０１１０】
非周期的、モード２−＊：ＵＥで選択される６つのサブバンドインデックス
【０１１１】
サブフレームは、２８個のサブバンドで構成される。２８個のサブバンドのうち、６つのサブバンドがＵＥによって選択される。サブバンド内のＰＲＢの数は、最後のサブバンドを除いて４であり、最後のサブバンド内のＰＲＢの数は２である（４×２７＋２＝１１０）。
【０１１２】
非周期的、モード３−＊：上位層で構成される１４個のサブバンドの場合
【０１１３】
サブフレームは、１４個のサブバンドで構成される。サブバンド内のＰＲＢの数は、最後のサブバンドを除いて８であり、最後のサブバンド内のＰＲＢの数は６である（８×１３＋６＝１１０）。
【０１１４】
周期的、モード２−＊：ＵＥで選択される４つのサブバンドインデックスの場合（帯域幅部分ごとに１つのサブバンドを選択することに対する追加制約がある）
【０１１５】
サブフレームは、１４個のサブバンドで構成される。１４個のサブバンドのうち、４つのサブバンドがＵＥによって選択される。サブバンド内のＰＲＢの数は、最後のサブバンドを除いて８であり、最後のサブバンド内のＰＲＢの数は６である（８×１３＋６＝１１０）。
【０１１６】
次に、前述したすべてのフィードバックモードにおいて実現可能なすべてのサブバンド選択を検討し、一意のラベルを、サブバンドの実現可能な個別の選択に割り当てることができる。そのようなすべての可能なラベルを合わせて、組み合わせインデックスＲの範囲を決定する。その結果、Ｒの値がわかっている場合、受信側ｅＮＢ１はサブバンド選択を推定できる。関連するＣＱＩ（示された選択内のサブバンドごとに１つ）は、示されたサブバンドによって表された周波数範囲の昇順で並べることができる。そのような各ＣＱＩは、完全な表現を使用して（すなわち、１６の可能性を使用して）伝達することができ、その後、受信側ｅＮＢ１によって直接使用することができる。
【０１１７】
【表１０】
0006500934.tif 000021
【０１１８】
ＵＥ構成に依存しない符号化構造
【０１１９】
ＵＥ構成に依存しない方法でＸ２を経由してＣＳＩを信号伝達するための符号化構造を、表Ｉ１に示す。この構造では、サブバンドは、同じＣＱＩ値を持つ連続的なＰＲＢのセットとして定義される。サブバンドの分割は、送信側ｅＮＢ２の実装に任されており、ＵＥのＣＳＩレポートの構成によって制約されない。示される各ＣＱＩは、４ビットＣＱＩの定義に従う（ＴＳ  ３６．２１３を参照）。これにより、示された各ＣＱＩが基本的なＣＱＩ定義に一致している限り、送信側ｅＮＢ２は、ＵＥから受信したＣＳＩを任意の方法で処理できる。受信側ｅＮＢ１は、ｅＮＢ１によってＣＱＩがどのように取得されて処理されたのかを知らないまま、これらのＣＱＩを直接使用することができる。
【０１２０】
【表１１Ａ】
0006500934.tif 000022
【表１１Ｂ】
0006500934.tif 000023
【０１２１】
示されたサブバンドＣＱＩごとに、差分ＣＱＩではなく完全なＣＱＩ（１６の可能性を持つ）を報告することは有益である。これは、完全なＣＱＩでなければ、受信側ｅＮＢ１が、そのサブバンドに関する完全なＣＱＩを取得するために、対応する広帯域ＣＱＩおよび差分サブバンドＣＱＩ（１６よりも少ない可能性を持つ）を結合する方法がわからない可能性があるからである。例えば、そのＣＳＩプロセスにおいて、対象となるＵＥに対して構成された正確なフィードバックモードが、受信側ｅＮＢ１に伝達されない場合である。また、同じＣＳＩプロセスにおいてこのＵＥに対して構成された複数のさまざまなフィードバックモードからのレポートを結合する方法に関して、送信側ｅＮＢ２に制約を課さないことが望ましい場合がある。さらに、非周期的フィードバックモード３−１が（ｅＮＢ２によって）ＵＥに対して構成された場合、ＵＥによって報告されるサブバンドＣＱＩが、差分値｛−２、０、１、２｝を表す２ビットを使用して対応する広帯域ＣＱＩに対して差分的にエンコードされることに注意する。
一方、非周期的フィードバックモード２−０または２−２の場合、ＵＥによって、差分値｛１、２、３、４｝を表す２ビットを使用して、対応する広帯域ＣＱＩに対して差分的にエンコードすることによって、最良Ｍ個の平均のみが報告される。さらに、周期的フィードバックモード２−１の場合、帯域幅部分に含まれるＵＥで選択されたサブバンドごとのコードワード−１に対応するＣＱＩ自体は、４ビットにすることができ、一方、コードワード−２のＣＱＩは（ＲＩ＞１の場合）、３ビットを使用してコードワード−１のＣＱＩに対して差分的にエンコードされる。
【０１２２】
上記の説明から、ＣＱＩを伝達する透過的方法（そのＵＥに対してそのＣＳＩプロセスにおいて構成された１つまたは複数のフィードバックモードに関するすべての詳細を伝達する必要がない）は、示されたサブバンドごとの完全なＣＱＩを可能にすることであることが明らかになる。
【０１２３】
重要な別の問題は、ＵＥ  ＣＳＩレポートにおいてｅＮＢ２によってｅＮＢ１に伝達されるＲＩとＣＱＩが、相互に一致する、すなわち、報告されるすべてのＣＱＩが、同じＲＩ（ランク指示ＩＥ内のＲＩが存在する場合、それと同一）に関してＵＥによって計算されることを保証することである。特定のフィードバックモード（周期的モード２−１など）において、ＲＩと広帯域ＣＱＩおよび１つまたは複数の帯域幅部分のサブバンドＣＱＩを、さまざまなサブフレームでＵＥによって報告できるため、この問題に対処することは重要である。したがって、ＣＳＩ要求内でｅＮＢ１によって定義された周期性に応じて、ＣＳＩプロセスにおいてＵＥに関して使用可能な最新のＲＩが、計算された最新のＣＱＩに対応するＲＩとは異なっている可能性があるということが生じる場合がある。その場合、送信側ｅＮＢ２は、ＣＳＩレポートが矛盾していないことを、例えば、計算された使用可能な最新のＣＱＩに対応するＲＩ値を使用することによって、保証する必要がある。
【０１２４】
以下では、要求元のｅＮＢがサブバンドＣＱＩまたはランク指示を受信するかどうかを指定できるようにする変形について説明する。この明細書において、要求元のｅＮＢ１は、ｅＮＢ２がそのユーザに関するＣＳＩプロセス（および構成要素であるフィードバックモード）を構成する方法を制御しないため、いかなる場合も、さまざまな種類のＣＳＩレポート（広帯域のみまたは広帯域とサブバンド）を利用できる必要がある。
【０１２５】
【表１２】
0006500934.tif 000024
【０１２６】
ビット効率を犠牲にして、さらなる簡略化を可能にする別の変形を以下に示す。ここでは、可能なすべてのサブバンド（ｅＮＢ２で使用可能なダウンリンク内のＰＲＢの数によって決定できる）の完全なＣＱＩが、ＣＳＩプロセスにおいてＵＥに関して常に伝達される。サブバンドＣＱＩが、サブバンドに関して、構成されたフィードバックモードにおいてＵＥによって報告されない場合、送信側ｅＮＢ２は、単にそのサブバンドに、対応する広帯域ＣＱＩ値を使用する。関連する要求がサブバンドＣＱＩを要求する場合は、広帯域ＣＱＩを含める必要がないことに注意する。
【０１２７】
９．２．１９  相対的狭帯域送信電力（ＲＮＴＰ）
【０１２８】
このＩＥは、セル内のＰＲＢごとのＤＬ電力制約に関する指示および隣接するｅＮＢによって必要とされる干渉認識スケジューリングに関するその他の情報を提供する。
【０１２９】
【表１３Ａ】
0006500934.tif 000025
【表１３Ｂ】
0006500934.tif 000026
【表１３Ｃ】
0006500934.tif 000027
【表１３Ｄ】
0006500934.tif 000028
【０１３０】
ＲＮＴＰ拡張のための代替表を以下に示す。
【０１３１】
【表１４Ａ】
0006500934.tif 000029
【表１４Ａ】
0006500934.tif 000030
【０１３２】
ＲＮＴＰ拡張のための別の代替表を以下に示す。
【０１３３】
【表１５Ａ】
0006500934.tif 000031
【表１５Ｂ】
0006500934.tif 000032
【０１３４】
２ビットによって伝達される複数のしきい値を使用する別の代替を以下に示す。
【０１３５】
【表１６Ａ】
0006500934.tif 000033
【表１６Ｂ】
0006500934.tif 000034
【０１３６】
上に示された表の要点は、「１１」の選択が電力レベルに対する保証がない（送信電力が任意の高さになる場合を対象にする）ことをすでに示しており、電力レベルがＨＰＴＨよりも大きなことを伝達する必要がないため（このことが「１１」によって包含されているため）、（２つではなく）３つのしきい値を使用できるということである。
【０１３７】
ただし、複数のしきい値を示すことに伴う１つの問題は、現在のＣｏＭＰ仮説が、（暗黙的に）唯一のしきい値を仮定していることである。この意味で、複数のしきい値をｅＲＮＴＰで使用することと、ＣｏＭＰ仮説において複数のしきい値を使用しないこととの間に不一致が存在する。したがって、複数のしきい値の最大限の可能性は、追加オーバーヘッドにも関わらず実現できない。
【０１３８】
実施形態Ｃ
【０１３９】
Ｃ１．概要
【０１４０】
以下では、ＣＳＩ交換に対する考え方および必要なメッセージ構造を含んでいる提案について説明する。
【０１４１】
Ｃ２．説明
【０１４２】
Ｃ２．１  ＣＳＩ交換：ＣＳＩプロセスの構成
【０１４３】
前の説明から、矛盾のない意味を持つ割り当て可能なＣＳＩプロセスのセットを定義するために、ｅＮＢ間の協調が必要であることは明らかである。これらのＣＳＩプロセスのセットが定義されると、ｅＮＢ間で交換されるＣＳＩは、ＵＥによってＣＳＩが測定された条件を伝達するために、各ＣＳＩプロセス構成情報を含む必要がある。この構成情報は、ＣＳＩ−ＲＳ−ＣｏｎｆｉｇＮＺＰ［３６．３３１ｂ、セクション６．３．２］およびＣＳＩ−ＩＭ−Ｃｏｎｆｉｇ［３６．３３１ｂ、セクション６．３．２］を含む必要がある。これを行うことによって、ポイントごとのＣＳＩプロセス構成の交換が可能になる（ＣＳＩプロセスにおいて、ＵＥは測定セット（またはＣｏＭＰセット）内の任意の１つのポイントからＲＳを推定し、関連するＩＭＲは、ＣｏＭＰセット以外またはクラスタ干渉以外を測定する）。そのようなプロセスの１つが、このＵＥの測定セット内のポイントごとに受信側ｅＮＢに送信された場合、このＵＥの任意の干渉仮説を、受信側ｅＮＢによってエミュレートできる。実際、これによって、十分に多くの干渉仮説を対象にするのに十分なＣＳＩプロセスを定義することに関するボトルネックを軽減できる。この構成情報を伝達する１つの方法は、ルックアップテーブルを介する方法である。可能な個別の各ＣＳＩプロセス構成にインデックスをマッピングするルックアップテーブルを（場合によっては、ｅＮＢごとに別々に）構築できる。ここで、可能なＣＳＩプロセスとは、ＣＳＩを測定するための、接続されたＵＥに割り当てることができるプロセスのことである。そのようなテーブルは、最初に隣接するｅＮＢ間で交換することができ、その後、構成情報をインデックスを介して交換できる。信号伝達のオーバーヘッドを制限するために、各テーブル内で定義されるプロセスの総数（構成情報を含む）を制限できる。例えば、この数は｛７、８、９、１６、３２｝のいずれかにすることができる。必要に応じて、プロセスの構成情報は、そのプロセスに対して構成された電力オフセット値Ｐｃおよび／またはオフセットＰａとＰｂを含むこともできる。さらに、必要に応じて、プロセスの構成情報は、他のプロセスが存在する場合、そのプロセスが他のプロセスの参照ランクプロセスになるように設定されたことも示すことができる。さらに、必要に応じて、構成されたフィードバックモード情報（周期的、非周期的など）を含めることもできる。
【０１４４】
Ｃ２．２  ＣＳＩ交換：内容
【０１４５】
１つのｅＮＢは、１つまたは複数のＵＥに関連するＣＳＩレポートを、隣接するｅＮＢに送信できる。ＵＥごとに、ｅＮＢが隣接するｅＮＢに送信するＣＳＩは以下を含むことができる。
【０１４６】
ＣＱＩ：最大２つのＣＱＩ。それぞれ、広帯域成分および可能なサブバンド成分を含んでいる。
【０１４７】
ＲＩ：１つの広帯域成分
【０１４８】
ＰＭＩはＣＳＩ交換レポートから除外された（非特許文献１参照）。この除外は、オーバーヘッドを最小限に抑えること、およびＰＭＩが高速に変化するチャネル情報によって決まる場合があるため、待ち時間の大きな理想的ではないバックホール上では有用性が低下するという事実によって正当化された。ただし、ＰＭＩが存在しない場合、ＲＩの使用は制限される。実際、１よりも大きなランクは、２つのＣＱＩ（２つのコードワードそれぞれに１つ）のみを伝達する。このＵＥから見える（平均）空間方向に関する詳細は、レポートを受信するｅＮＢによって推定できない。そのため、ＲＩの報告はオプションにする必要がある。さらに、ＣＳＩレポートを要求するｅＮＢ（ｅＮＢ１）は、ＲＩレポートを受信するかどうかを指定できる必要がある。同様に、ＣＳＩレポートを要求するｅＮＢは、サブバンド固有のＣＱＩレポートを要求するかどうかを指定できる必要がある。これは、（測定要求内の）ビットを、ランクが要求されない場合は０に設定し、そうでない場合は１に設定することによって実現できる。別のビットを、サブバンドＣＱＩが要求されない場合に０に設定し、そうでない場合に１に設定することができる。この明細書において、要求元のｅＮＢは、送信側ｅＮＢ（ｅＮＢ２）がそのユーザに関するＣＳＩプロセス（および構成要素であるフィードバックモード）を構成する方法を制御しないため、いかなる場合も、さまざまな種類のＣＳＩレポート（広帯域のみまたは広帯域とサブバンド）を利用できる必要がある。
【０１４９】
提案：ＲＩおよび／またはサブバンドＣＱＩをリソース状態応答メッセージで送信する必要があるかどうかを示すオプションのＩＥを、リソース状態要求に含める。
【０１５０】
ＣＳＩ交換が合意される前の、送信側ｅＮＢよる（無線信号伝達によって受信される）短期ＣＳＩの実装ベースの処理。この明細書では、差分ＣＱＩではなく、示されたサブバンドごとに、完全なＣＱＩ（１６の可能性を持つ）を報告することは有益であると考える。そのような各ＣＱＩは、４ビットＣＱＩ（ＴＳ  ３６．２１３を参照）の定義に従う。これには、主に次の２つの利点がある。送信側ｅＮＢが、これらのＣＱＩの取得において、最大の自由を得ることができる。実際、同じＣＳＩプロセスにおけるＵＥに対して構成された複数のさまざまなフィードバックモードからのレポートを処理または結合する方法に関して、送信側ｅＮＢ２に制約を課さないことが望ましい。２番目に、受信側ｅＮＢは、構成されたフィードバックモードに対して不可知であることができる。後者の利点が重要なのは、非周期的フィードバックモード３−１がＵＥに対して（ｅＮＢ２によって）構成されている場合、ＵＥによって報告されるサブバンドＣＱＩが、差分値｛−２、０、１、２｝を表す２ビットを使用して対応する広帯域ＣＱＩに対して差分的にエンコードされるめである。一方、非周期的フィードバックモード２−０または２−２の場合、ＵＥによって、差分値｛１、２、３、４｝を表す２ビットを使用して、対応する広帯域ＣＱＩに対して差分的にエンコードすることによって、最良Ｍ個の平均のＣＱＩのみが報告される。さらに、周期的フィードバックモード２−１の場合、帯域幅部分に含まれるＵＥで選択されたサブバンドごとのコードワード−１に対応するＣＱＩ自体は、４ビットにすることができ、一方、コードワード−２のＣＱＩは（ＲＩ＞１の場合）、３ビットを使用してコードワード−１のＣＱＩに対して差分的にエンコードされる。
【０１５１】
上の説明から、ＣＱＩを伝達する透過的方法（そのＵＥに対してそのＣＳＩプロセスにおいて構成された１つまたは複数のフィードバックモードに関するすべての詳細を伝達する必要がない）は、示されたサブバンドごとの完全なＣＱＩを可能にすることであることが明らかになる。
【０１５２】
提案：完全な表現（４ビットまたは１６の可能性）を使用して各サブバンドＣＱＩを伝達する
【０１５３】
次に、サブバンドインデックス作成について検討し、サブバンド選択（それらのサイズ、インデックスを含む）が次で説明される組み合わせインデックスを用いて伝達される代替案を提案する。
【０１５４】
このアイデアは、非周期的フィードバックモード２−＊に関してＴＳ  ３６．２１３で使用されたアイデアの単純な拡張である。具体的には、送信側ｅＮＢ２で使用可能なダウンリンクにおけるＰＲＢ（または、略してＲＢ）の数（受信側ｅＮＢ１に知られる、または別途伝達されるパラメータ）に応じて、サブバンドサイズと一緒に作成できるすべての可能なサブバンド選択のセットが、すべてのフィードバックモードで、ｅＮＢ１によって推定できる。
【０１５５】
例えば、１１０個のＲＢがｅＮＢ２で使用できる場合（この数は、ｅＮＢ１に伝達される）、ｅＮＢ１は、次のように構成されたＵＥに対して、以下のように推定できる。
【０１５６】
非周期的、モード２−＊：ＵＥで選択された６つのサブバンドインデックス
【０１５７】
サブフレームは、２８個のサブバンドで構成される。２８個のサブバンドのうち、６つのサブバンドがＵＥによって選択される。サブバンド内のＰＲＢの数は、最後のサブバンドを除いて４であり、最後のサブバンド内のＰＲＢの数は２である（４×２７＋２＝１１０）。
【０１５８】
非周期的、モード３−＊：上位層で構成される１４個のサブバンドの場合
【０１５９】
サブフレームは、１４個のサブバンドで構成される。サブバンド内のＰＲＢの数は、最後のサブバンドを除いて８であり、最後のサブバンド内のＰＲＢの数は６である（８×１３＋６＝１１０）。
【０１６０】
周期的、モード２−＊：ＵＥで選択される４つのサブバンドインデックスの場合（帯域幅部分ごとに１つのサブバンドを選択することに対する追加制約がある）
【０１６１】
サブフレームは、１４個のサブバンドで構成される。１４個のサブバンドのうち、４つのサブバンドがＵＥによって選択される。サブバンド内のＰＲＢの数は、最後のサブバンドを除いて８であり、最後のサブバンド内のＰＲＢの数は６である（８×１３＋６＝１１０）。
【０１６２】
次に、前述したすべてのフィードバックモードにおいて実現可能なすべてのサブバンド選択を検討し、一意のラベルを、サブバンドの実現可能な個別の選択に割り当てることができる。そのようなすべての可能なラベルを合わせて、組み合わせインデックスＲの範囲を決定する。その結果、Ｒの値がわかっている場合、受信側ｅＮＢはサブバンド選択を推定できる。関連するＣＱＩ（示された選択内のサブバンドごとに１つ）は、示されたサブバンドによって表された周波数範囲の昇順で並べることができる。そのような各ＣＱＩは、完全な表現を使用して（すなわち、１６の可能性を使用して）伝達することができ、その後、受信側ｅＮＢ１によって直接使用することができる。
【０１６３】
提案：サブバンドのインデックス作成およびサイズの情報を、組み合わせインデックスを介して伝達する。
【０１６４】
重要な別の問題は、ＵＥ  ＣＳＩレポートにおいてｅＮＢ２によってｅＮＢ１に伝達されるＲＩとＣＱＩが、相互に一致する、すなわち、報告されるすべてのＣＱＩが、同じＲＩ（ランク指示ＩＥ内のＲＩが存在する場合、それと同一）に関してＵＥによって計算されることを保証することである。特定のフィードバックモード（周期的モード２−１など）において、ＲＩと広帯域ＣＱＩおよび１つまたは複数の帯域幅部分のサブバンドＣＱＩを、さまざまなサブフレームでＵＥによって報告できるため、この問題に対処することは重要である。したがって、ＣＳＩ要求内でｅＮＢ１によって定義された周期性に応じて、ＣＳＩプロセスにおいてＵＥに関して使用可能な最新のＲＩが、計算された１つまたは複数の使用可能な最新のＣＱＩに対応するＲＩとは異なっている可能性があるということが生じる場合がある。その場合、送信側ｅＮＢ２は、ＣＳＩレポートが矛盾していないことを、例えば、計算された使用可能な最新のＣＱＩに対応するＲＩ値を使用することによって、保証する必要がある。
【０１６５】
提案：送信側ｅＮＢは、ＣＳＩレポートにおいて伝送されるＲＩとＣＱＩが相互に一致することを保証する必要がある。
【０１６６】
ＣＳＩ交換の目標の１つは、集中型ＲＲＭを容易にすることである。集中型ＲＲＭを含むシナリオでは、ＣＳＩレポートを受信する中央ノードは、受信されるＣＳＩレポート全体にわたって、特定のＵＥごとに受信されたＣＳＩ情報を記録できる必要がある。これを保証するために、ＣＳＩレポートで伝達されるＣＳＩを持つＵＥごとに、ＵＥ識別子が各ＣＳＩレポートに含まれることが合意されている。このＩＤにより、受信側ノードが、受信したすべてのレポートのうちのどのレポートがこのユーザに属しているかを推定できるようにする必要があり、それによってＲＲＭを促進する。また、類似するＵＥ  ＩＤを基準信号受信電力（ＲＳＲＰ）レポートに含めることは有益であり、受信側ｅＮＢがこれら２つのレポートのセットを結合するか、または一緒に利用できるようにする。
【０１６７】
提案：ＵＥ  ＩＤをＲＳＲＰ測定レポートに含める
【０１６８】
提案：
【０１６９】
９．１．２．１１  リソース状況要求
【０１７０】
このメッセージは、このメッセージで与えられたパラメータに従って要求された測定を開始するために、ｅＮＢ１によって隣接するｅＮＢ２に送信される。
【０１７１】
方向：ｅＮＢ１→ｅＮＢ２
【０１７２】
【表１７Ａ】
0006500934.tif 000035
【表１７Ｂ】
0006500934.tif 000036
【０１７３】
９．１．２．１４  リソース状態の更新
【０１７４】
このメッセージは、要求された測定の結果を報告するために、ｅＮＢ２によって隣接するｅＮＢ１に送信される。
【０１７５】
方向：ｅＮＢ２→ｅＮＢ１
【０１７６】
９．２．ａａ  ＵＥ−ＣＳＩレポート
【０１７７】
このＩＥは、ｅＮＢ２によって接続されたＵＥのセットに関するＵＥ−ＣＳＩ情報を提供する。
【０１７８】
【表１８】
0006500934.tif 000037
【０１７９】
ここで、ｅＲＮＴＰ交換について検討する。
【０１８０】
ｅＲＮＴＰが負荷情報メッセージと共に配信されることが合意されている。
【０１８１】
以下では、このメッセージの内容に対する考え方および提案について説明する。
【０１８２】
Ｃ３．説明
【０１８３】
Ｃ３．１  ｅＲＮＴＰ交換
【０１８４】
１つの懸念は、受信側ｅＮＢがＣｏＭＰ仮説の「意味」を識別するための手段を持たないということである。具体的には、発生する可能性のある問題は、信号伝達される仮説が、送信側による「推奨」または仮説におけるパターンが適用されることを意味する「アクション」である場合があるということである。この問題に対して提案される解決策は、構成要素であるリソース割り当てがアクションであることを伝達するための指標ＩＥを、ＣｏＭＰ情報ＩＥに導入することである。この提案は、この指標ＩＥと共に、事前に構成された共通のしきい値が使用される（または暗黙的に仮定される）場合に、役立つ可能性がある。言い換えると、ｅＮＢ（またはセル）による「推奨」および「アクション」は、共通のしきい値（このｅＮＢまたはセルに対して事前に構成されたか、またはそれに隣接するｅＮＢに知られている）に基づく。別のやや好ましい選択肢は、「アクション」を伝達するために、既存のＲＮＴＰを拡張して使用することである。この拡張は、２つの方法で実行できる。それらの内容は、以下に添付されている２つの対応する提案で説明される。
【０１８５】
最初に提示される提案は、１つのしきい値に基づき、最初のサブフレーム（サブフレーム番号０）のＲＮＴＰ（すなわち、ダウンリンク（ＤＬ）電力制約）が常に伝達されるという事実を利用する。その後のサブフレームに対するＤＬ電力制約に関する情報が伝達されない場合、最初のサブフレームに関して伝達されたＤＬ電力制約が静的なままである（すなわち、その後のサブフレームに適用できる）と仮定できる。
【０１８６】
第２の提案は、複数のしきい値に基づく。この提案の要点は、「１１」の選択が電力レベルに対する保証がない（送信電力が任意の高さになる場合を対象にする）ことをすでに示しており、電力レベルがＨＰＴＨよりも大きなことを伝達する必要がないため（このことが「１１」によって包含されているため）、（２つではなく）３つのしきい値を使用できるということである。
【０１８７】
提案
【０１８８】
９．２．１９  相対的狭帯域送信電力（ＲＮＴＰ）
【０１８９】
このＩＥは、セル内のＰＲＢごとのＤＬ電力制約に関する指示および隣接するｅＮＢによって必要とされる干渉認識スケジューリングに関するその他の情報を提供する。
【０１９０】
【表１９Ａ】
0006500934.tif 000038
【表１９Ｂ】
0006500934.tif 000039
【０１９１】
以下では、第２の代替案について説明する。
【０１９２】
【表２０Ａ】
0006500934.tif 000040
【表２０Ｂ】
0006500934.tif 000041
【０１９３】
実施形態Ｄ
【０１９４】
Ｄ１．概要
【０１９５】
以下では、ＣＳＩおよびｅＲＮＴＰ交換に対する考え方に加えて、必要なメッセージ構造を含んでいる提案について説明する。
【０１９６】
Ｄ２．説明
【０１９７】
Ｄ２．１  ＣＳＩ交換：ＣＳＩプロセスの構成
【０１９８】
ＣＳＩプロセスの概念は、ＵＥからその接続ｅＮＢへのＣＳＩフィードバックを可能にするために、Ｒｅｌｅａｓｅ  １１において定義された。ＣＳＩフィードバックは、ＣＳＩプロセスごとに、そのプロセスで構成されている接続ＴＰおよび干渉仮説に従って決定される。ＵＥに対して構成されている各ＣＳＩプロセスは、非ゼロ電力ＣＳＩ−ＲＳが送信されるリソース要素のセットを含んでおり、それらのリソース要素で受信された観測を使用して、このＵＥによってチャネル推定が取得される。
【０１９９】
加えて、リソース要素のセットは、ＵＥが観測している干渉の共分散を推定するＣＳＩプロセス（干渉測定リソース（ＩＭＲ）と呼ばれる）によっても示される。チャネル推定および共分散推定は、そのＣＳＩプロセスに対応するフィードバックレポートを決定および送信するために、ＵＥによって一緒に使用される。そのような複数のＣＳＩプロセス（最大４つ）をＵＥに対して構成することができ、各プロセスは信号または干渉仮説のさまざまな選択に対応する。さらに、接続ＴＰの高速スイッチングが不可能なシナリオでは、所与のＵＥに対して構成された異なるＣＳＩプロセスは、通常は干渉仮説の異なる選択に対応する。
【０２００】
上記の簡単な説明では、構成されたＣＳＩプロセスの干渉仮説が、隣接するｅＮＢによって制御されるＴＰ（対象のＵＥに対する支配的な干渉源）からのミューティングを仮定している場合、構成要素であるＩＭＲに対してＵＥによって推定された干渉が仮定された仮説に一致することを保証するために、ｅＮＢ間の協調が必要である、ということに注意する。協調を必要とする別の類似した事象は、ＵＥでの信頼性のあるチャネル推定を保証するために、ＣＳＩプロセスで示された非ゼロ電力ＣＳＩ−ＲＳが、干渉保護されなければならない場合である。これら両方の事象において、隣接するｅＮＢによって制御される支配的な干渉源は、特定のリソース要素に関してミューティングされなければならない。したがって、ｅＮＢ間で（非ゼロ電力ＣＳＩ−ＲＳおよびＩＭＲを含んでいる）ＣＳＩ−ＲＳ構成を共有するための（適切な信号伝達を伴う）メカニズムを使用できる必要がある。このメカニズムによって、複数のｅＮＢでのＣＳＩプロセスの構成が容易になる。
【０２０１】
ＣＳＩプロセスが構成されると、ｅＮＢ間でバックホールを経由して交換されるＣＳＩは、ＵＥによってＣＳＩが測定された条件を伝達するために、各ＣＳＩプロセス構成情報を含む必要がある。この構成情報は、非ゼロ電力ＣＳＩ−ＲＳ情報およびＩＭＲ情報（サブフレームインデックスおよびゼロ電力ＣＳＩ−ＲＳ情報を含んでいる）を含む。いずれにせよ、この構成はＲＲＣ（または上位層）信号伝達によってＵＥに伝えられるため、同じ情報を、構成を隣接するｅＮＢに伝達するためのコンテナとして再利用できる。
【０２０２】
別の方法では、ルックアップテーブルを介してこの構成情報を伝達する。適用される１つまたは複数の異なるＣＳＩプロセス構成にインデックスをマッピングするルックアップテーブルは、ｅＮＢごとに構築できる。ここで、適用されるＣＳＩプロセスとは、ＣＳＩを測定するために、このｅＮＢによって接続された少なくとも１つのＵＥによって使用されるプロセスのことである。そのようなテーブルは、最初に隣接するｅＮＢ間で交換することができ、その後、構成情報をインデックスを介して交換できる。信号伝達のオーバーヘッドを制限するために、テーブル内の構成の総数を制限することができる。
【０２０３】
このテーブル内の構成の数の適切な値は、８または１６または３２である。
【０２０４】
Ｄ２．２  ＣＳＩ交換：内容
【０２０５】
１つのｅＮＢは、１つまたは複数のＵＥに関連するＣＳＩレポートを隣接するｅＮＢに送信できる。ＵＥごとに、ｅＮＢが隣接するｅＮＢに送信するＣＳＩは以下を含むことができる。
【０２０６】
ＣＱＩ：最大２つのＣＱＩ。それぞれ、広帯域成分および可能なサブバンド差分成分を含んでいる。
【０２０７】
ＲＩ：１つの広帯域成分
【０２０８】
ＰＭＩはＣＳＩ交換レポートから除外された（非特許文献１参照）。この除外は、オーバーヘッドを最小限に抑えること、およびＰＭＩが高速に変化するチャネル情報によって決まる場合があるため、待ち時間の大きな理想的ではないバックホール上では有用性が低下するという事実によって正当化された。ただし、ＰＭＩが存在しない場合、ＲＩの使用は制限される。実際、１よりも大きなランクは、２つのＣＱＩ（２つのコードワードそれぞれに１つ）のみを伝達する。このＵＥから見える（平均）空間方向に関する詳細は、レポートを受信するｅＮＢによって推定できない。そのため、ＲＩの報告はオプションにする必要がある。さらに、ＣＳＩレポートを要求するｅＮＢは、ＲＩレポートを受信するかどうかを指定できる必要がある。同様に、ＣＳＩレポートを要求するｅＮＢは、サブバンド固有のＣＱＩレポートを要求するかどうかを指定できる必要がある。これは、（測定要求内の）ビットを、ランクが要求されない場合は０に設定し、そうでない場合は１に設定することによって実現できる。別のビットを、サブバンドＣＱＩが要求されない場合に０に設定し、そうでない場合に１に設定することができる。
【０２０９】
交換の前に、ｅＮＢで（無線信号伝達によって受信される）短期ＣＳＩの処理（フィルタリングまたはサブサンプリング）が許可される必要がある。
【０２１０】
これに関する１つの使用事例は、ｅＮＢ１によって隣接するｅＮＢ２に対して要求されるＣＳＩレポートの周期性が、ｅＮＢ２によって構成された無線ＣＳＩ信号伝達の周期性よりも大きな場合である。この場合、ｅＮＢ２は、ｅＮＢ１にレポートを送信する前に、受信したレポートのなんらかの処理（サブサンプリングまたは平均化など）を実行する必要がある。この明細書において、ｅＮＢ２によって使用されるサブサンプリングが、ｅＮＢ１によって理解される必要がある（必要に応じて、これを保証するために追加信号伝達を追加できる）。これを（信号伝達のオーバーヘッドを伴わずに）実現できる１つの可能な方法は、ｅＮＢ２が、要求された周期性およびＣＳＩプロセス構成が入力として与えられてサブサンプリング係数を出力する事前に定められたルール（前もってすべてのｅＮＢに知られているか、構成されている）によって決定されたサブサンプリング係数を使用することである。一方、ｅＮＢ２によって使用される平均化またはスケーリングまたはフィルタリングは、受信側ｅＮＢ１に対して透過的にすることができる。
【０２１１】
ＣＳＩ交換の目標の１つは、集中型ＲＲＭを容易にすることである（非特許文献３参照）。集中型ＲＲＭを含むシナリオでは、ＣＳＩレポートを受信する中央ノードは、受信されるＣＳＩレポート全体にわたって、特定のＵＥごとに受信されたＣＳＩ情報を記録できる必要がある。これは、ＣＳＩレポートで伝達されるＣＳＩを持つＵＥごとに、ＵＥ識別子を各ＣＳＩレポートに含めることによって実現できる。受信したすべてのレポートのうちで、どのレポートがユーザに属しているかを受信側ノードがわかるように、ユーザごとに一意のＩＤを含める必要がある。これは、ＲＲＭに役立つ。これを行わないと、受信側ｅＮＢは、受信された各レポートを、異なるユーザに属していると見なすようになる。これは、最適でないリソース割り当てをもたらす場合がある。
【０２１２】
Ｄ２．３  ｅＲＮＴＰ交換
【０２１３】
ｅＲＮＴＰ交換に対する考え方は、この実施形態の最後に添付された対応する提案において説明される。
【０２１４】
最初のサブフレームのＲＮＴＰ（すなわち、ダウンリンク（ＤＬ）電力制約）は、常に伝達される。その後のサブフレームに対するＤＬ電力制約に関する情報が伝達されない場合、最初のサブフレームに関して伝達されたＤＬ電力制約が静的なままである（すなわち、その後のサブフレームに適用できる）と仮定できる。
【０２１５】
複数の変形も提示し、それらのうちの１つは、複数のしきい値の使用を含んでいる。
【０２１６】
Ｄ３．結論
【０２１７】
ｅＮＢ間ＣｏＭＰでＣＳＩおよびｅＲＮＴＰ交換をサポートするために必要なＸ２メッセージについて説明し、対応する提案を提示した。
【０２１８】
提案：
【０２１９】
９．１．２．１１  リソース状態要求
【０２２０】
このメッセージは、このメッセージで与えられたパラメータに従って要求された測定を開始するために、ｅＮＢ１によって隣接するｅＮＢ２に送信される。
【０２２１】
方向：ｅＮＢ１→ｅＮＢ２
【０２２２】
【表２１Ａ】
0006500934.tif 000042
【表２１Ｂ】
0006500934.tif 000043
【０２２３】
９．１．２．１４  リソース状態の更新
【０２２４】
このメッセージは、要求された測定の結果を報告するために、ｅＮＢ２によって隣接するｅＮＢ１に送信される。
【０２２５】
方向：ｅＮＢ２→ｅＮＢ１
【０２２６】
【表２２】
0006500934.tif 000044
【０２２７】
９．２．ｘ１  ＵＥ−ＣＳＩレポート
【０２２８】
このＩＥは、ｅＮＢ２によって接続されたＵＥのセットに関するＵＥ−ＣＳＩ情報を提供する。
【０２２９】
【表２３Ａ】
0006500934.tif 000045
【０２３０】
【表２３Ｂ】
0006500934.tif 000046
【０２３１】
代わりに、パラメータｍａｘＵＥｓｕｂｓｅｔＣＳＩＲｅｐｏｒｔを８または６４にすることができる。さらに、必要に応じて、例えば８ビットまたは６ビットまたは５ビット（構成可能なテーブルからの２５６個または６４個または３２個の可能なインデックスと同等）を使用して、ＵＥ  ＩＤの表現をさらに短縮することができる。
【０２３２】
次に、サブバンドインデックスが示される必要がある場合について検討する。これは、ＵＥで選択されたサブバンドのフィードバックを伴うフィードバックモードに対応するために重要である。
【０２３３】
【表２４】
0006500934.tif 000047
【０２３４】
上記テーブルの代替として、ＣＱＩごとに、４ビット（２ビット）のビット列フィールドを、ＩＮＴＥＧＥＲ  （０．．１５，  ．．．）（ＩＮＴＥＧＥＲ  （０．．７，  ．．．））で置き換えることができることに注意する。
【０２３５】
別の代替では、サブバンドインデックスは、次で説明される組み合わせインデックスを用いて伝達できる。
【０２３６】
ここで、アイデアは、送信側ｅＮＢ２で使用可能なダウンリンクにおけるＰＲＢ（または、短縮してＲＢ）の数（受信側ｅＮＢ１に知られる、または別途伝達されるパラメータ）に応じて、フィードバックモードごとにサブバンドサイズと一緒に作成できるすべての可能なサブバンド選択のセットがｅＮＢ１によって推定できるということである。
【０２３７】
例えば、１１０個のＲＢがｅＮＢ２で使用できる場合（この数は、ｅＮＢ１に伝達される）、ｅＮＢ１は、次のように構成されたＵＥに対して、以下のように推定できる。
【０２３８】
非周期的、モード２−＊：ＵＥで選択される６つのサブバンドインデックス
【０２３９】
サブフレームは、２８個のサブバンドで構成される。２８個のサブバンドのうち、６つのサブバンドがＵＥによって選択される。サブバンド内のＰＲＢの数は、最後のサブバンドを除いて４であり、最後のサブバンド内のＰＲＢの数は２である（４×２７＋２＝１１０）。
【０２４０】
非周期的、モード３−＊：上位層で構成される１４個のサブバンドの場合
【０２４１】
サブフレームは、１４個のサブバンドで構成される。サブバンド内のＰＲＢの数は、最後のサブバンドを除いて８であり、最後のサブバンド内のＰＲＢの数は６である（８×１３＋６＝１１０）。
【０２４２】
周期的、モード２−＊：ＵＥで選択される４つのサブバンドインデックスの場合（帯域幅部分ごとに１つのサブバンドを選択することに対する追加制約がある）
【０２４３】
サブフレームは、１４個のサブバンドで構成される。１４個のサブバンドのうち、４つのサブバンドがＵＥによって選択される。サブバンド内のＰＲＢの数は、最後のサブバンドを除いて８であり、最後のサブバンド内のＰＲＢの数は６である（８×１３＋６＝１１０）。
【０２４４】
次に、前述したすべてのフィードバックモードにおいて実現可能なすべてのサブバンド選択を検討し、一意のラベルを、サブバンドの実現可能な個別の選択に割り当てることができる。そのようなすべての可能なラベルを合わせて、組み合わせインデックスＲの範囲を決定する。その結果、Ｒの値がわかっている場合、受信側ｅＮＢはサブバンド選択を推定できる。関連するＣＱＩ（示された選択内のサブバンドごとに１つ）は、示されたサブバンドによって表された周波数範囲の昇順で並べることができる。そのような各ＣＱＩは、完全な表現を使用して（すなわち、１６の可能性を使用して）伝達することができ、その後、受信側ｅＮＢ１によって直接使用することができる。
【０２４５】
【表２５】
0006500934.tif 000048
【０２４６】
ＵＥ構成に依存しない符号化構造
【０２４７】
ＵＥ構成に依存しない方法でＸ２を経由してＣＳＩを信号伝達するための符号化構造を、表Ｉ１に示す。この構造では、サブバンドは、同じＣＱＩ値を持つ連続的なＰＲＢのセットとして定義される。サブバンドの分割は、送信側ｅＮＢ２の実装に任されており、ＵＥのＣＳＩレポートの構成によって制約されない。示される各ＣＱＩは、４ビットＣＱＩの定義に従う（ＴＳ  ３６．２１３を参照）。これにより、示された各ＣＱＩが基本的なＣＱＩ定義に一致している限り、送信側ｅＮＢ２は、ＵＥから受信したＣＳＩを任意の方法で処理できる。受信側ｅＮＢ１は、ｅＮＢ１によってＣＱＩがどのように取得されて処理されたのかを知らないまま、これらのＣＱＩを直接使用することができる。
【０２４８】
【表２６Ａ】
0006500934.tif 000049
【表２６Ｂ】
0006500934.tif 000050
【０２４９】
示されたサブバンドＣＱＩごとに、差分ＣＱＩではなく完全なＣＱＩ（１６の可能性を持つ）を報告することは有益である。これは、完全なＣＱＩでなければ、受信側ｅＮＢ１が、そのサブバンドに関する完全なＣＱＩを取得するために、対応する広帯域ＣＱＩおよび差分サブバンドＣＱＩ（１６よりも少ない可能性を持つ）を結合する方法がわからない可能性があるからである。例えば、そのＣＳＩプロセスにおいて、対象となるＵＥに対して構成された正確なフィードバックモードが、受信側ｅＮＢ１に伝達されない場合である。また、同じＣＳＩプロセスにおいてこのＵＥに対して構成された複数のさまざまなフィードバックモードからのレポートを結合する方法に関して、送信側ｅＮＢ２に制約を課さないことが望ましい場合がある。さらに、非周期的フィードバックモード３−１が（ｅＮＢ２によって）ＵＥに対して構成された場合、ＵＥによって報告されるサブバンドＣＱＩが、差分値｛−２、０、１、２｝を表す２ビットを使用して対応する広帯域ＣＱＩに対して差分的にエンコードされることに注意する。一方、非周期的フィードバックモード２−０または２−２の場合、ＵＥによって、差分値｛１、２、３、４｝を表す２ビットを使用して、対応する広帯域ＣＱＩに対して差分的にエンコードすることによって、最良Ｍ個の平均のみが報告される。さらに、周期的フィードバックモード２−１の場合、帯域幅部分に含まれるＵＥで選択されたサブバンドごとのコードワード−１に対応するＣＱＩ自体は、４ビットにすることができ、一方、コードワード−２のＣＱＩは（ＲＩ＞１の場合）、３ビットを使用してコードワード−１のＣＱＩに対して差分的にエンコードされる。
【０２５０】
上記の説明から、ＣＱＩを伝達する透過的方法（そのＵＥに対してそのＣＳＩプロセスにおいて構成された１つまたは複数のフィードバックモードに関するすべての詳細を伝達する必要がない）は、示されたサブバンドごとの完全なＣＱＩを可能にすることであることが明らかになる。
【０２５１】
重要な別の問題は、ＵＥ  ＣＳＩレポートにおいてｅＮＢ２によってｅＮＢ１に伝達されるＲＩとＣＱＩが、相互に一致する、すなわち、報告されるすべてのＣＱＩが、同じＲＩ（ランク指示ＩＥ内のＲＩが存在する場合、それと同一）に関してＵＥによって計算されることを保証することである。特定のフィードバックモード（周期的モード２−１など）において、ＲＩと広帯域ＣＱＩおよび１つまたは複数の帯域幅部分のサブバンドＣＱＩを、さまざまなサブフレームでＵＥによって報告できるため、この問題に対処することは重要である。したがって、ＣＳＩ要求内でｅＮＢ１によって定義された周期性に応じて、ＣＳＩプロセスにおいてＵＥに関して使用可能な最新のＲＩが、計算された最新のＣＱＩに対応するＲＩとは異なっている可能性があるということが生じる場合がある。その場合、送信側ｅＮＢ２は、ＣＳＩレポートが矛盾していないことを、例えば、計算された使用可能な最新のＣＱＩに対応するＲＩ値を使用することによって、保証する必要がある。
【０２５２】
以下では、要求元のｅＮＢがサブバンドＣＱＩまたはランク指示を受信するかどうかを指定できるようにする変形について説明する。この明細書において、要求元のｅＮＢ１は、ｅＮＢ２がそのユーザに関するＣＳＩプロセス（および構成要素であるフィードバックモード）を構成する方法を制御しないため、いかなる場合も、さまざまな種類のＣＳＩレポート（広帯域のみまたは広帯域とサブバンド）を利用できる必要がある。
【０２５３】
【表２７Ａ】
0006500934.tif 000051
【表２７Ｂ】
0006500934.tif 000052
【０２５４】
ビット効率を犠牲にして、さらなる簡略化を可能にする別の変形を以下に示す。ここでは、可能なすべてのサブバンド（ｅＮＢ２で使用可能なダウンリンク内のＰＲＢの数によって決定できる）の完全なＣＱＩが、ＣＳＩプロセスにおいてＵＥに関して常に伝達される。サブバンドＣＱＩが、サブバンドに関して、構成されたフィードバックモードにおいてＵＥによって報告されない場合、送信側ｅＮＢ２は、単にそのサブバンドに広帯域ＣＱＩ値を使用する。
【０２５５】
９．２．１９  相対的狭帯域送信電力（ＲＮＴＰ）
【０２５６】
このＩＥは、セル内のＰＲＢごとのＤＬ電力制約に関する指示および隣接するｅＮＢによって必要とされる干渉認識スケジューリングに関するその他の情報を提供する。
【０２５７】
【表２８Ａ】
0006500934.tif 000053
【表２８Ｂ】
0006500934.tif 000054
【０２５８】
ＲＮＴＰ拡張のための代替表を以下に示す。
【０２５９】
【表２９Ａ】
0006500934.tif 000055
【表２９Ｂ】
0006500934.tif 000056
【表２９Ｂ】
0006500934.tif 000057
【０２６０】
ＲＮＴＰ拡張のための別の代替表を以下に示す。
【０２６１】
【表３０Ａ】
0006500934.tif 000058
【表３０Ｂ】
0006500934.tif 000059
【０２６２】
２ビットによって伝達される複数のしきい値を使用する別の代替を以下に示す。
【０２６３】
【表３１Ａ】
0006500934.tif 000060
【表３１Ｂ】
0006500934.tif 000061
【表３１Ｃ】
0006500934.tif 000062
【０２６４】
上に示された表の要点は、「１１」の選択が電力レベルに対する保証がない（送信電力が任意の高さになる場合を対象にする）ことをすでに示しており、電力レベルがＨＰＴＨよりも大きなことを伝達する必要がないため（このことが「１１」によって包含されているため）、（２つではなく）３つのしきい値を使用できるということである。
【０２６５】
ただし、複数のしきい値を示すことに伴う１つの問題は、現在のＣｏＭＰ仮説が、（暗黙的に）唯一のしきい値を仮定していることである。この意味で、複数のしきい値をｅＲＮＴＰで使用することと、ＣｏＭＰ仮説において複数のしきい値を使用しないこととの間に不一致が存在する。したがって、複数のしきい値の最大限の可能性は、追加オーバーヘッドにも関わらず実現できない。
【０２６６】
｛（Ｎ１，ｑ１），…，（Ｎｌ，ｑｌ）｝によって示されるＬ個のサブバンド選択タイプが存在すると仮定する。ここで、ｌ番目の選択タイプは、そのタイプにおけるサブバンドの総数および選択しなければならないサブバンドの数をそれぞれ示すＮｌ、ｑｌによって定義される。この選択タイプにおいて、各サブバンドのサイズは固定され、先験的に知られていることに注意する。さらに、Ｊ個の帯域幅部分が存在し、各部分がＳｊ個（１＜ｊ≦Ｊ）のサブバンドを含んでいると仮定する。各帯域幅部分ｊ∈｛１，…，Ｊ｝内のＳｊ個のサブバンドから１つのサブバンドのみを選択する。さらに、ユーザが帯域幅部分のＣＳＩレポートを連続的に報告するため、送信側ｅＮＢ２から受信側ｅＮＢ１への対応するＣＳＩの交換に対して、ネスト構造を課すことができる。具体的には、ｊ番目の部分の任意のサブバンドのＣＳＩが、先行する各ｊ−１帯域幅部分内のサブバンドのＣＳＩが送信された場合にのみ送信されるという構造を課す。この構造によって、一般性を失うことなく、ＣＳＩの効率的な交換が可能になる。したがって、全体的に、Ｌ＋Ｊ個の異なる選択タイプが存在する可能性がある（最後のＪ個のタイプは、帯域幅部分からの選択に関連付けられる）。その場合、異なるサブバンド選択の総数における各選択は、
【０２６７】
【数１】
0006500934.tif 000063
によって与えられる範囲を持つ組み合わせインデックスＲによって識別できる。
次に、送信側ｅＮＢでのインデックスの生成と、その後の、受信側ｅＮＢでのインデックスからの特定の選択の決定について説明する。この目的のために、一連のオフセットを次のように定義する。
【０２６８】
【数２】
0006500934.tif 000064
およびＯ１＝０。
さらに、
【０２６９】
【数３】
0006500934.tif 000065
を設定する。
【０２７０】
送信側ｅＮＢでのインデックスの生成
【０２７１】
・送信側ｅＮＢでは、最初に選択タイプｌを識別する。
【０２７２】
・ｌ∈｛１，．．．，Ｌ｝である場合、ｑｌ個のサブバンドがＮｌ個のサブバンド全体から選択される。ｍ０，．．．，ｍｑｌ−１を、順序付けされた（つまり、ｍ０＜ｍ１＜．．．＜ｍｑｌ−１）選択されたサブバンドインデックスとし、すべて｛１，．．．，Ｎｌ｝に含まれるものとする。
【０２７３】
【数４】
0006500934.tif 000066
を設定する。
【０２７４】
・そうでない場合、ｌ∈｛Ｌ＋１，…，Ｌ＋Ｊ｝。ｍ１，…，ｍｌ−Ｌは選択されたサブバンドインデックスを示し、最初のｌ−Ｌ個の各帯域幅部分からのサブバンドインデックスである。ここで、ｍｊ∈｛１…，Ｓｊ｝（ｊ＝１，…．ｌ−Ｌ）である。
【０２７５】
【数５】
0006500934.tif 000067
を設定する。
【０２７６】
受信側ｅＮＢでのインデックスからのサブバンド選択の取得
【０２７７】
・受信側ｅＮＢにおいて、Ｏｌ≦Ｒとなるような最大のｌを見つける。
【０２７８】
・ｌ∈｛１，…，Ｌ｝である場合、ｑｌ個のサブバンドが合計Ｎｌ個のサブバンドから選択されている。ｍ０，…，ｍｑｌ−１を、決定する必要のある順序付けされたサブバンドインデックスとする。ａ＝１、ｒ＝Ｒ−Ｏｌと初期化する。
【０２７９】
・ｋ＝０，…，ｑｌ−１について、次を実行する。
【０２８０】
−  ｂ＝ａ，
【０２８１】
【数６】
0006500934.tif 000068
【０２８２】
−  Ｑ＞ｒである間、ｂ＝ｂ＋１および
【０２８３】
【数７】
0006500934.tif 000069
を実行する。
【０２８４】
−  ｍｋ＝ｂ、ａ＝ｂ＋１、ｒ＝ｒ−Ｑ。
【０２８５】
・そうでない場合、ｌ∈｛Ｌ＋１，…，Ｌ＋Ｊ｝。ｍ１，…，ｍｌ−Ｌは決定する必要のあるサブバンドインデックスを示し、最初のｌ−Ｌ個の各帯域幅部分からのサブバンドインデックスである。ここで、ｍｊ∈｛１…，Ｓｊ｝ｊ＝１，…．ｌ−Ｌである。ｒ＝Ｒ−Ｏｌ、Ｂ＝ｌ−Ｌ、およびＡ＝Ｓ１×…×ＳＢを設定する。
【０２８６】
・ｋ＝１，…，Ｂ−１について、次を実行する。
【０２８７】
−  Ａ＝Ａ／Ｓｋ、
【０２８８】
【数８】
0006500934.tif 000070
、および
【０２８９】
【数９】
0006500934.tif 000071
。
【０２９０】
−
【０２９１】
【数１０】
0006500934.tif 000072
を更新する。
【０２９２】
・ｍＢ＝ｒ＋１
【０２９３】
実施形態Ｅ
【０２９４】
Ｅ１  概要
【０２９５】
サブバンド定義に関する３つのオプションを要約し、それらの拡張を、ｅＲＮＴＰ（拡張相対的狭帯域送信電力）の拡張と共に提供する。
【０２９６】
Ｅ２  解決策の要約
【０２９７】
一般的注意：
【０２９８】
−  以下のオプションはすべて、ｅＮＢが、Ｘ２を経由して送信する前に、ＣＱＩ（チャネル品質指標）値（実装ベースの方法）を「処理」できるようにする。
【０２９９】
−  オプション間の主な違いの一部は次のとおりである。
【０３００】
（１）単純さ。送信側ｅＮＢの実装が「生の」ＣＳＩ（チャネル状態情報）のみを送信する場合→オプションＡ、Ｃ（ただし、各拡張のみを伴う）
【０３０１】
（２）柔軟性。送信側ｅＮＢの実装がＣＳＩを処理する（例えば、重複する周期的レポートおよび非周期的レポートを結合またはマージする）場合→オプションＢ、Ｃ
【０３０２】
オプションＡ：サブバンドインデックス＋レポートタイプ
【０３０３】
【表３２】
0006500934.tif 000073
【０３０４】
オプションＡに関する注意：
【０３０５】
−  主な動機：接続ｅＮＢが、できるだけ少ない処理で、ＣＳＩレポートをＸ２を経由して送信できるようにする
【０３０６】
−  説明：サブバンド分割が、ＵＥのＣＳＩレポート構成に基づいて固定されている。レポートタイプＩＥおよびサブバンドインデックスＩＥが、サブバンドの位置とそれらのサイズ、およびサブバンドの総数を取得するために、受信側ｅＮＢによって使用される。また、後者の情報は、受信側ｅＮＢが、そのサブバンドに関して伝達された差分ＣＱＩが何を意味しているかを決定できるようにするため、重要である。これは、非周期的モード３−０（または３−１）および非周期的モード２−０（または２−２）において、同じ差分値を、それぞれ異なるオフセットにマッピングできるからである。したがって、受信側ｅＮＢ１が使用する正しいオフセット値を推定できる唯一の方法は、所与のシステム帯域幅（または送信側ｅＮＢ２で使用できるＰＲＢ（物理リソースブロック）の特定の総数（ｅＮＢ１に知られているか、または別途伝達される））に関して、ＣＱＩが報告されたサブバンドの数が、それら２つの非周期的モードにおいてそれぞれ異なっているという事実を利用することである。別の代替方法は、レポートタイプＩＥ（情報要素）において、構成された正確なフィードバックモード（非周期的３−１など）を伝達することである。
【０３０７】
−  「生の」ＣＱＩを、ＵＥから受信された形式と同様の形式（すなわち、サブバンドインデックス）で、Ｘ２を経由して送信できるようにする
【０３０８】
−  非周期的ＣＳＩレポートと周期的ＣＳＩレポートが重複している場合に、周期的レポートと非周期的レポートの両方を、同じＸ２メッセージで送信できるようにし、その処理（例えば、マージ、破棄など）は、受信側ｅＮＢの実装に任される。２つのレポートを同じメッセージで送信することは、そうしないと、Ｘ２メッセージごとに１つのレポートという制約およびＸ２メッセージに対して構成された周期性に従うために、複数のレポートを送信側ｅＮＢによって削除する必要がある場合があるため、有益である。
【０３０９】
ただし、前述した構造に従って同じＸ２メッセージで非周期的サブバンドレポートと周期的サブバンドレポートの両方を一緒に送信することにおける問題は、それらの計算に使用される関連する参照広帯域レポートが異なっている可能性があることである。具体的には、構成された非周期的モードおよび構成された周期的モードにおいて、ＵＥによって決定された広帯域ランク指示（ＲＩ）が異なる場合がある。同様に、構成された周期的モードおよび構成された非周期的モードにおいて、ＵＥによって決定された広帯域ＣＱＩが異なる場合がある。さらに、非周期的モードにおいて決定された各サブバンドＣＱＩは、対応する広帯域ＣＱＩに対する差分値として、ＵＥによって（ＰＵＳＣＨ（物理アップリンク共有チャネル）を経由して）報告される。例えば、非周期的フィードバックモード２−２および周期的フィードバックモード２−１が構成されていると仮定する。その場合、非周期的モード２−２において、ＵＥは、１つの広帯域ＣＱＩ（コードワードごと）を報告し、そのコードワードに対応する広帯域ＣＱＩに対する差分値として（２ビットを使用して）、選択された最良Ｍ個のフィードバックに関する１つのサブバンドＣＱＩ（コードワードごと）を報告する。一方、周期的２−１モードにおいて、ＵＥは、（ＰＵＣＣＨ（物理アップリンク制御チャネル）を経由して）１つの広帯域ＣＱＩ（コードワードごと）を報告し、第２のコードワードの広帯域ＣＱＩが、第１のコードワードの広帯域ＣＱＩに対する差分値として報告される。加えて、ＵＥは、第１のコードワードの１つのサブバンドＣＱＩを報告し、第１のコードワードのサブバンドＣＱＩに対する差分値として、第２のＣＱＩを報告する。
【０３１０】
したがって、Ｘ２メッセージに非周期的サブバンドレポートと周期的サブバンドレポートの両方が含まれている場合、Ｘ２メッセージ内にはＲＩと広帯域ＣＱＩの別々のセットが存在する必要があるということが明らかになる。このような広帯域成分の別々のセットが含まれていない場合、受信側ｅＮＢは、非周期的情報と周期的情報の両方に関して、同じ広帯域ＲＩまたはＣＱＩを使用する。これは、同じＸ２メッセージで別々の非周期的サブバンドレポートおよび周期的サブバンドレポートを伝達するという目的に反する。
【０３１１】
この問題に対する対策として、以下では最適化構造を提案する。
【０３１２】
【表３３Ａ】
0006500934.tif 000074
【０３１３】
【表３３Ｂ】
0006500934.tif 000075
【０３１４】
ｍａｘＳｕｂｂａｎｄの１５の値は、１４＋１として計算される。ここで、１４は、１１０個のＤＬ（ダウンリンク）ＲＢ（リソースブロック）を仮定した非周期的モード３−０または３−１におけるサブバンドの数であり、その他の１つのサブバンドは、１つの帯域幅部分のサブバンドレポートがＸ２メッセージ内で許容されると仮定する周期的モード２−０または２−１用である。同様に、値１６、１７、１８は、それぞれ２つ、３つ、４つの帯域幅部分のサブバンドレポートが同じＸ２メッセージ内で許容されると仮定して計算される。
【０３１５】
上で特定された同じ問題は、送信側ｅＮＢが２つの異なるレポート（構成された周期的モードに対応するか、または構成された非周期的モードに対応する）を送信する場合にも発生する可能性がある。提示された最適化構造は、各ＵＥのＣＳＩプロセスごとに２つのレポートタイプを許容するため、そのような場合にも対応する。これら２つのレポートタイプのそれぞれは、両方とも周期的にするか、または非周期的にすることができる。
【０３１６】
この明細書では、２つの非周期的レポートを許容した場合、例えば２８＝１４＋１４というように、２８に等しいｍａｘＳｕｂｂａｎｄの値が発生する。ここで、１４は、１１０個のＤＬ  ＲＢを仮定する非周期的モード３−０または３−１におけるサブバンドの数である。
【０３１７】
さらに、柔軟性を向上するために、「ＣＳＩプロセスごとのレポートタイプ」の範囲を、２つから、３または４または５などのさらに大きな値に増やすことができる。
【０３１８】
９．２．ｂｂ  広帯域ＣＱＩ
【０３１９】
このＩＥは、ＴＳ  ３６．２１３で定義されている広帯域ＣＱＩを示す。
【０３２０】
【表３４】
0006500934.tif 000076
【０３２１】
９．２．ｃｃ  サブバンドＣＱＩ
【０３２２】
このＩＥは、ＴＳ  ３６．２１３で定義されているサブバンドＣＱＩを示す。
【０３２３】
【表３５】
0006500934.tif 000077
【０３２４】
非周期的レポートおよび周期的レポートそれぞれで、別々の広帯域成分（ＲＩおよび広帯域ＣＱＩを含んでいる）が伝達されるということを共通のテーマとして、最適化構造のその他の等価な変形が可能である。その場合、この構造は、受信側ｅＮＢが周期的サブバンド成分および非周期的サブバンド成分を広帯域の対応する各部分に一義的に関連付けることを可能にする必要がある。最適化構造において、Ｘ２メッセージで非周期的サブバンド情報または周期的サブバンド情報の１つのみが報告される場合、その情報は、対応する広帯域情報のみを含むということに注意する。
【０３２５】
また、非周期的フィードバックモード（２−０および２−１）において、ＵＥが最良Ｍ個のサブバンドすべてに関する共通サブバンド情報を報告するため、上で提示された構造において、送信側ｅＮＢが、示された最良Ｍ個のサブバンドすべてについて、同じサブバンドＣＱＩを繰り返すことになるということに注意する。以下のように構造を変更することによって、この繰り返しを回避することができる。
【０３２６】
サブバンドＣＱＩ  ＩＥは、次のように理解した上で、オプションとする。このＩＥが存在しない場合、そのサブバンドのＣＱＩは、そのメッセージでＣＱＩがすでに伝達されている、より低いインデックスを持つサブバンドのＣＱＩと同じである（周波数において最も近く、レポートタイプが同じである）と見なされ、後者のＣＱＩが示されていなければならないという制約がある。
【０３２７】
オプションＢ：サブバンド開始＋サブバンドサイズ
【０３２８】
【表３６】
0006500934.tif 000078
【０３２９】
オプションＢに関する注意：
【０３３０】
−  主な動機：特に、ＵＥが非周期的ＣＳＩと周期的ＣＳＩの両方を報告するように構成されている場合に、「接続ｅＮＢがＣＳＩ（実装）を処理できる」というＲＡＮ３の合意に従って「処理済み」ＣＱＩを送信するためのより大きな実装の柔軟性を可能にする。
【０３３１】
−  説明：サブバンド開始ＩＥおよびサブバンドサイズＩＥが、サブバンドを明示的に示すために使用される。サブバンドは、システム帯域幅
【０３３２】
【数１１】
0006500934.tif 000079
に対して定義されたサブバンドに制限される。
【０３３３】
−  「生の」ＣＱＩを、ＵＥによって使用される形式とは別の形式（すなわち、サブバンド開始）でＸ２経由して送信できるようにする。
【０３３４】
−  周期的レポートと非周期的レポートの両方を同じＸ２メッセージで送信できるようにする。非周期的ＣＳＩレポートと周期的ＣＳＩレポートが重複している場合に、送信側ｅＮＢは、実装に固有のアルゴリズムに従って処理（例えば、マージ）できる。
【０３３５】
オプションＢで与えられたこの構造には、広帯域成分の１セットのみが含まれるため、送信側ｅＮＢは、周期的レポートおよび非周期的レポートまたは２つの異なる周期的レポートまたは２つの異なる非周期的レポートからそれぞれ受信されたＲＩおよび広帯域ＣＱＩを調和させなければならないことに注意する。この明細書では、サブバンドＣＱＩの絶対値を使用することは、そのようなＣＱＩをどのサイドバンド参照にもマッチングすることなく直接使用できるため、特に有益である。
【０３３６】
この構造における別の最適化として、サブバンドＣＱＩ  ＩＥをオプションにすることができる。その場合、このサブバンドのＣＱＩは、ＣＱＩが示されている先行する最後のサブバンドのＣＱＩと同じであると仮定される。最初のサブバンドのＣＱＩは常に示される。この最適化は、例えば前述したように、最良Ｍ個のフィードバックの伝達において発生する可能性のある冗長性を回避するのに役立つ。
【０３３７】
ここで、サブバンドの最大数は、（非周期的モード２−０または２−２において１１０個のＤＬ  ＲＢおよび４のサブバンドサイズを仮定して）２８にすることができる。
【０３３８】
オプションＣ：サブバンドインデックス＋サブバンドサイズ
【０３３９】
【表３７】
0006500934.tif 000080
【０３４０】
オプションＣに関する注意：
【０３４１】
−  説明：サブバンドサイズＩＥは、サブバンド分割を明示的に示すために、（ＵＥのＣＳＩレポート構成に関する情報に基づいてサブバンド分割を取得する受信側ｅＮＢではなく）送信側ｅＮＢによって使用される。サブバンド内の最初のＰＲＢのＰＲＢ番号は、（サブバンドインデックスｘサブバンドサイズ）として計算される。
【０３４２】
−  「生の」ＣＱＩを、ＵＥから受信された形式と同様の形式（すなわち、サブバンドインデックス）で、Ｘ２を経由して送信できるようにする
【０３４３】
−  周期的レポートと非周期的レポートの両方を同じＸ２メッセージで送信できるようにする。非周期的ＣＳＩレポートと周期的ＣＳＩレポートが重複している場合に、送信側ｅＮＢは、実装に固有のアルゴリズムに従って処理（例えば、マージ）できる。
【０３４４】
重複している非周期的ＣＳＩレポートおよび周期的ＣＳＩレポートが受信された場合、送信側ｅＮＢは、（実装オプションに従って）周期的サブバンドをＸ２経由して２つの非周期的サブバンドに「分割」できる。ＴＳ  ３６．２１３におけるサブバンド定義に従って、周期的サブバンドが常に２つの非周期的サブバンドで構成されていると仮定する。
【０３４５】
例：
【０３４６】
【数１２】
0006500934.tif 000081
は５０であり、ｅＮＢは２つのＣＳＩレポートを特定の間隔の間、Ｕｕを経由して受信する：サブバンドインデックス１（サブバンドサイズ３）の場合は非周期的モード２−＊、サブバンドインデックス０（サブバンドサイズ６）の場合は周期的モード２−＊。その場合、ｅＮＢには、Ｘ２を経由して情報を送信するための以下の複数のオプションがある。
【０３４７】
（ａ）両方のレポートをＸ２を経由して送信し、受信側ｅＮＢに処理方法を決定させる
【０３４８】
（ｂ）Ｘ２を経由して送信するための２つのレポートのうちの１つ（例えば、最後のレポート）を選択する
【０３４９】
（ｃ）非周期的レポートおよび周期的レポートをＸ２を経由して２つの非周期的レポートにマージする（サブバンドインデックス０および１）
【０３５０】
非周期的レポートと周期的レポートの両方が同じＸ２メッセージ上で送信される場合に別々の広帯域成分を送信する必要性に関してオプションＡにおいて行われた観察は、この場合にも適用される。
【０３５１】
したがって、オプションＣを以下のように変更する必要がある。
【０３５２】
【表３８Ａ】
0006500934.tif 000082
【表３８Ｂ】
0006500934.tif 000083
【０３５３】
非周期的サブバンドレポートおよび周期的サブバンドレポートそれぞれで、別々の広帯域成分（ＲＩおよび広帯域ＣＱＩを含んでいる）が参照として伝達されるということを共通のテーマとして、最適化構造のその他の等価な変形が可能である。その場合、この構造は、受信側ｅＮＢが周期的サブバンド成分および非周期的サブバンド成分を広帯域の対応する各部分に一義的に関連付けることを可能にする必要がある。最適化構造において、Ｘ２メッセージで非周期的サブバンド情報または周期的サブバンド情報の１つのみが報告される場合、その情報は、対応する広帯域情報のみを含むということに注意する。さらに、構造がマージされたＣＳＩ（マージまたは処理は送信側によって実行される）を含む場合、１つの広帯域成分のみが含まれ、その場合、すべてのサブバンドＣＱＩが（４ビットまたは１６の可能性を使用して）絶対ＣＱＩとして伝達される。
【０３５４】
このオプションでは、送信側ｅＮＢは、非周期的ＣＳＩ情報を伝達する場合に、メッセージ内で適切な数のサブバンドを使用することを保証しなければならない。オプションＡで説明したように、これを行うことは、受信側ｅＮＢが、そのサブバンドに関して伝達された差分ＣＱＩが何を意味しているかを決定できるようにするため、重要である。これは、非周期的モード３−０（または３−１）および非周期的モード２−０（または２−２）において、同じ差分値を、それぞれ異なるオフセットにマッピングできるからである。したがって、受信側ｅＮＢが使用する正しいオフセット値を推定できる唯一の方法は、所与のシステム帯域幅（または送信側ｅＮＢ２で使用できるＰＲＢの特定の総数（ｅＮＢ１に知られているか、または別途伝達される））に関して、ＣＱＩが報告されたサブバンドの数が、それら２つの非周期的モードにおいてそれぞれ異なっているという事実を利用することである。
【０３５５】
オプションＣ’：サブバンドインデックス＋サブバンドサイズ
【０３５６】
【表３９】
0006500934.tif 000084
【０３５７】
オプションＣに関する注意：
【０３５８】
−  説明：すべてのサブバンドでサブバンドサイズが固定されること以外は、オプションＣと同様である。ここで、サブバンドの最大数は、（非周期的モード２−０または２−２において１１０個のＤＬ  ＲＢおよび４のサブバンドサイズを仮定して）２８にすることができる。
【０３５９】
ｅＲＮＴＰの拡張。
【０３６０】
送信側ｅＮＢが、適用される（１つまたは複数の指定されたしきい値に対する）電力レベルを明示的にシームレスに伝達するか、またはリソースが干渉保護されているかどうかを伝達することを可能にする、ｅＲＮＴＰバージョンを提供する。リソースは、消費電力削減を含む複数の方法によって、または適切なビーム形成ベクトルを使用することによって、干渉保護できる。
【０３６１】
【表４０Ａ】
0006500934.tif 000085
【表４０Ｂ】
0006500934.tif 000086
【０３６２】
実施形態Ｆ
【０３６３】
Ｆ１．概要
【０３６４】
この文書では、サブバンドインデックス作成方式に伴ういくつかの問題について説明し、提案において優先されることを提示する。
【０３６５】
Ｆ２．説明
【０３６６】
Ｆ２．１  周期的レポートと非周期的レポートの両方の伝達
【０３６７】
ＣＳＩ信号伝達方式によってサポートされることが望ましい機能は、同じＸ２メッセージにおける、場合によっては結合された（またはマージされた）形態での、周期的ＣＳＩレポートと非周期的ＣＳＩレポートの両方の交換である。この機能がない場合（すなわち、送信側ｅＮＢが、あるユーザのＣＳＩプロセスにおいて取得される周期的ＣＳＩレポートまたは非周期的ＣＳＩレポートのいずれかを選択するように強制される場合）、送信側ｅＮＢは使用可能なＣＳＩレポートを削除することが必要になる。このことは、正確な無線信号伝達リソースが、これらのレポートの取得においてすでに使い尽くされており、これらのレポートがまとまって、個別のレポートよりも多くのＣＳＩを伝達する可能性がある場合に、問題になる。
【０３６８】
同じＸ２メッセージで非周期的サブバンドレポートと周期的サブバンドレポートの両方を一緒に送信するために克服する必要のある問題について、次に説明する。具体的には、非周期的ＣＳＩレポートおよび周期的ＣＳＩレポートの構成要素であるサブバンド部分の計算に使用される関連する参照広帯域レポートは、それぞれ異なる場合がある。実際、構成された非周期的モードおよび構成された周期的モードにおいて、ＵＥによって決定された広帯域ランク指示（ＲＩ）が異なる場合がある。同様に、構成された周期的モードおよび構成された非周期的モードにおいて、ＵＥによって決定された広帯域ＣＱＩも、異なっている可能性が高い。さらに、構成されたモードにおいてＵＥによって決定された各サブバンドＣＱＩは、対応する参照ＣＱＩに対する差分値としてＵＥによって報告できる。例えば、非周期的フィードバックモード２−２および周期的フィードバックモード２−１が構成されていると仮定する。その場合、非周期的モード２−２において、ＵＥは、１つの広帯域ＣＱＩ（コードワードごと）を報告し、そのコードワードに対応する広帯域ＣＱＩに対する差分値として（２ビットを使用して）、選択された最良Ｍ個のフィードバックに関する１つのサブバンドＣＱＩ（コードワードごと）を（ＰＵＳＣＨを経由して）報告する。一方、周期的２−１モードにおいて、ＵＥは、（ＰＵＣＣＨを経由して）１つの広帯域ＣＱＩ（コードワードごと）を報告し、第２のコードワードの広帯域ＣＱＩが、第１のコードワードの広帯域ＣＱＩに対する差分値として報告される。加えて、ＵＥは、第１のコードワードの１つのサブバンドＣＱＩを報告し、第１のコードワードのサブバンドＣＱＩに対する差分値として、第２のコードワードのサブバンドＣＱＩを報告する。
【０３６９】
したがって、この問題を克服するための代替方法が必要であるということが明らかになる。
【０３７０】
代替方法１：包含の条件
【０３７１】
Ｘ２メッセージに非周期的サブバンドレポートと周期的サブバンドレポートの両方が含まれている場合に、必ずＲＩと広帯域ＣＱＩの２つの別々のセットを含むための対策。これによって、同じＸ２メッセージで、非周期的レポートと周期的レポートの両方の単純な転送が可能になる。この明細書では、広帯域成分の２つの別々のセットを含めることを提供しない構造は、送信側ｅＮＢに対して、広帯域成分をマージし、非周期的サブバンド情報と周期的サブバンド情報の両方に対して共通参照を使用することを強制する。これは、同じＸ２メッセージで別々の非周期的サブバンドレポートおよび周期的サブバンドレポートを伝達するという目的に反する。レポートタイプＩＥ（周期的レポートおよび非周期的レポートを指定する）をサブバンドのリストに含めることにおける別の問題は、特定の非周期的レポートおよび周期的レポートが結合された場合に、曖昧さが生じる可能性があるということである。
【０３７２】
代替方法２：広帯域成分の別々のセットを、共通参照としても使用される１つの広帯域成分に常にマージする。この場合、各サブバンド情報もマージすることが論理的であり、それを実行する際に、サブバンドＣＳＩレポートのタイプを示す必要はない。ただし、この考え方は、同じＸ２メッセージでの非周期的レポートと周期的レポートの両方の単純な転送を妨げる。
【０３７３】
前述の代替方法の両方のメリットを得るために、単純な構造を提案する。この構造は、３つのバージョンで提示され、第２と第３のバージョンは、第１のバージョンよりもビット効率が良い。
【０３７４】
この提案の利点は次のとおりである。
【０３７５】
同じＸ２メッセージでの非周期的レポートと周期的レポートの両方の単純な転送を可能にする。実際、同じＸ２メッセージでの（ＣＳＩプロセスにおけるＵＥからの）集約された複数の非周期的ＣＳＩレポートまたは周期的ＣＳＩレポート、あるいはそれらの組み合わせの転送を可能にする。
【０３７６】
パラメータ
【０３７７】
【数１３】
0006500934.tif 000087
は、伝達されるサブバンドサイズＩＥと共に、ＴＳ３６．２１３で定義されているサブバンド分割の１つに対応するサブバンド分割を定義する。
【０３７８】
新しいサブバンド定義を何も導入せずに、非周期的レポートおよび周期的レポートのマージ（または、複数の周期的ＣＳＩレポートおよび／または複数の非周期的ＣＳＩレポートの組み合わせのマージ）も可能にする。これは、ＲＢ（またはＰＲＢ）の総数
【０３７９】
【数１４】
0006500934.tif 000088
が与えられた場合、非周期的モード２−＊におけるサブバンドサイズが、非周期的モード３−＊および周期的モード２−＊のサブバンドサイズの正確に１／２になるからである。したがって、そのようなレポートを結合するために、さらに小さいサブバンドサイズによって定義されたサブバンドを使用して、それらの（場合によっては、処理済みの）ＣＱＩを伝達できる。
【０３８０】
短期ＣＳＩのその他の実装ベースの処理もサポートされる。
【０３８１】
第１のバージョンは、比較的に単純である。しかし、その機能のうちの２つは注目に値する。
【０３８２】
ＣＳＩプロセスごとに、最大ｍａｘＲｅｆｅｒｅｎｃｅＴｙｐｅ個のレポートを伝達できる。参照タイプＩＥは、例えば周期的または非周期的として、ＥＮＵＭＥＲＡＴＥＤにすることができる。あるいは、参照タイプＩＥは、単に削除できる。
【０３８３】
サブバンドＣＱＩは、サブバンドインデックスの昇順に連続的に伝達される。あるサブバンドのサブバンドＣＱＩ  ＩＥが伝達されない場合、受信側ｅＮＢは、先行する最後のサブバンドに関して伝達されたＣＱＩを使用しなければならない。最初のサブバンドのＣＱＩは、常に含められなければならない。この機能は、冗長性を回避することによって、オーバーヘッドを大幅に削減できる。ＵＥが非周期的モード２−＊で構成された場合、そのＵＥは、Ｎ個のサブバンドのうちのＭ個のインデックスを選択して報告するということに注意する。ただし、ＵＥによって、選択されたＭ個のサブバンドすべてに対して、１つのＣＱＩ（コードワードごと）のみが報告される。したがって、そのようなＣＱＩの報告において冗長性が回避されるのは有益である。
【０３８４】
サブバンドインデックスＩＥはオプションである。このＩＥが含まれない場合、サブバンドの総数に含まれる各サブバンドのサブバンドＣＱＩ情報が伝達される。パラメータ
【０３８５】
【数１５】
0006500934.tif 000089
が、伝達されたサブバンドサイズＩＥと共にサブバンド分割を定義し、それによってサブバンドの総数Ｎを伝達することを思い出す。
【０３８６】
ここで、サブバンド選択が組み合わせインデックスを用いて伝達される、よりビット効率の良い第２のバージョンを検討する。
【０３８７】
ここでは、各参照タイプＩＥにおいて、パラメータ
【０３８８】
【数１６】
0006500934.tif 000090
は、伝達されるサブバンドサイズＩＥと共にサブバンド分割を定義し、それによってサブバンドの総数Ｎを伝達する。また、サブバンドＣＱＩが伝達されたサブバンドの数（Ｍ）は、サブバンドＣＱＩリストＩＥのサイズによって決定される。
【０３８９】
組み合わせインデックスｒは、ＴＳ３６．２１３（セクション７．２．１）に基づいて次のように定義される。
【０３９０】
選択されたＭ個のサブバンドの位置は、次のように定義された組み合わせインデックスｒを使用して伝達される。
【０３９１】
【数１７】
0006500934.tif 000091
ここで、Ｎはサブバンドの総数を示し、集合
【０３９２】
【数１８】
0006500934.tif 000092
は、ソートされたＭ個のサブバンドインデックスを含み、
【０３９３】
【数１９】
0006500934.tif 000093
は、拡張２項係数であり、その結果、一意のラベル
【０３９４】
【数２０】
0006500934.tif 000094
が得られる。
【０３９５】
説明のために、まず
【０３９６】
【数２１】
0006500934.tif 000095
かつ参照タイプＩＥが非周期的に設定されている場合を検討する。その場合、サブバンド選択に関して、２つの可能性がある。１つ目は、構成されたモードが２−＊の場合であり、その場合、サブバンドサイズは、Ｎ＝２８および、ここではＭ＝６になるように、４になる。一方、非周期的モード３−＊の場合、サブバンドサイズは、Ｎ＝１４および、ここではＭ＝１４になるように、８になる。同様の議論が、他のすべてのモードにも適用される。また、サブバンド分割が有効である（すなわち、ＴＳ３６．２１３において定義されたサブバンド分割に対応する）限り、参照タイプの下で複数の異なるレポートを集約することにおいて、大きな柔軟性があることは明らかである。Ｎの最大値が２８であるため（
【０３９７】
【数２２】
0006500934.tif 000096
かつサブバンドサイズが４である場合）、長さが２６のビット列を使用して、組み合わせインデックスを表現する。これによって、最大２８個のサブバンドからの任意の可能なサブバンドの選択を伝達することができる。
【０３９８】
次に、この場合もサブバンド選択が組み合わせインデックスを用いて伝達される、第３のバージョンを検討する。このバージョンは、第２のバージョンと比べてやや制約が多いが、やはりビット効率が良くなる可能性がある。ここで、選択されたサブバンドの数、およびそれらのサイズが、それらの位置またはインデックスに加えて、やはり組み合わせインデックスによって示される。
【０３９９】
まず、レポートタイプＩＥが非周期的に設定される場合について検討する。その場合、サブバンド選択に関して、２つの可能性がある。１つ目は、構成されたモードが２−＊の場合であり、その場合、組み合わせインデックスｒがＴＳ３６．２１３（セクション７．２．１）に基づいて次のように定義される。
【０４００】
ＵＥに選択されたＭ個のサブバンドの位置は、次のように定義された組み合わせインデックスｒを使用して伝達される。
【０４０１】
【数２３】
0006500934.tif 000097
ここで、Ｎはサブバンドの数を示し、集合
【０４０２】
【数２４】
0006500934.tif 000098
は、ソートされたＭ個のサブバンドインデックスを含み、
【０４０３】
【数２５】
0006500934.tif 000099
は拡張２項係数であり、その結果、一意のラベル
【０４０４】
【数２６】
0006500934.tif 000100
が得られる。
【０４０５】
構成されたモードが３−＊であり、すべてのサブバンドのＣＱＩを伝達する必要がある場合を対象にするために、１つの追加の可能性が含まれなければならない。この目的のために、ｒ＝−１を選択できる。その場合、組み合わせインデックスｒが、パラメータ
【０４０６】
【数２７】
0006500934.tif 000101
と共に、サブバンドの総数Ｎおよび選択されたサブバンドの数Ｍ、ならびに各サブバンドのサイズとそれらの位置またはインデックスを伝達するということに注意する。
【０４０７】
次に、レポートタイプＩＥが周期的に設定される場合について検討する。サブバンド情報が報告される唯一のモードであるモード２−＊について検討する。ここでは、ユーザが、連続するレポートインスタンスにわたって、Ｊ個の帯域幅部分のそれぞれから選択された１つのサブバンドのＣＳＩを連続的に報告する。したがって、Ｘ２  ＣＳＩ交換および無線レポートに対して構成された周期性に応じて、送信側ｅＮＢは、最大Ｊ個のサブバンドに関するサブバンドレポートを持つことができる。ユーザがサブバンドごとに連続して情報を報告しなければならないため、ＴＳ．３６．２１３では帯域幅部分の指標が定義されていないということに注意する。同じアプローチを採用し、使用可能なすべての帯域幅部分のサブバンドＣＳＩを同じＸ２メッセージで報告しなければならないということを強制する。ネスト構造は、Ｘ２メッセージを自己完結型にし、別の帯域幅部分の指標の必要性をなくす。
【０４０８】
したがって、Ｎ１、Ｎ２、…ＮＪによってＪ個の帯域幅部分それぞれにおけるサブバンドの数を示す場合、組み合わせインデックスは、第１の帯域幅部分からのサブバンド選択のＮ１の可能性、第１および第２の帯域幅部分を合わせた部分からのサブバンド選択のＮ１×Ｎ２の可能性というように、Ｊ個の帯域幅部分すべてを合わせた部分からのサブバンド選択のＮ１×Ｎ２×…ＮＪの可能性までを対象にしなければならない。
【０４０９】
Ｆ３．結論
【０４１０】
ｅＮＢ間ＣｏＭＰのＣＳＩ交換をサポートするために必要なＸ２メッセージについて説明し、サブバンドインデックス作成に対する考え方および対応する提案を提示した。
【０４１１】
９．１．２．１４  リソース状態の更新
【０４１２】
このメッセージは、要求された測定の結果を報告するために、ｅＮＢ２によって隣接するｅＮＢ１に送信される。
【０４１３】
方向：ｅＮＢ２→ｅＮＢ１
【０４１４】
９．２．ａａ  ＵＥ−ＣＳＩレポート（バージョン１）
【０４１５】
このＩＥは、ｅＮＢ２によって接続されたＵＥのセットに関するＵＥ−ＣＳＩ情報を提供する。
【０４１６】
【表４１Ａ】
0006500934.tif 000102
【表４１Ｂ】
0006500934.tif 000103
【０４１７】
代わりに、ｍａｘＲｅｆｅｒｅｎｃｅＴｙｐｅｓの値を３または４にすることができる。
【０４１８】
ＵＥ−ＣＳＩレポート（バージョン２）
【０４１９】
【表４２】
0006500934.tif 000104
【表４２Ｂ】
0006500934.tif 000105
【０４２０】
バージョン３
【０４２１】
【表４３Ａ】
0006500934.tif 000106
【表４３Ｂ】
0006500934.tif 000107
【０４２２】
実施形態Ｇ
【０４２３】
Ｇ１．概要
【０４２４】
ｅＮＢ間ＣｏＭＰ  ＷＩの目的を達成するために、複数のサブフレームにまたがる時間周波数リソースごとの送信電力レベル指示を含むようにＲＮＴＰ  ＩＥを拡張することが合意された。
【０４２５】
以下では、このメッセージの内容に対する考え方および提案について説明する。
【０４２６】
Ｇ２．説明
【０４２７】
Ｇ２．１  ｅＲＮＴＰ交換
【０４２８】
ＲＡＮ３＃８７ｂｉｓでの議論において生じた１つの懸念は、拡張ＲＮＴＰ  ＩＥの意味記述において、「送信電力がしきい値を超えない」という語句を使用することが適切かどうかということであった。これは、ビーム形成またはビーム操縦などのその他の手段により、特定の実装によって「干渉保護」を実現できるからである。そのような実装の場合でも、リソースが干渉保護されているかどうかを受信側ｅＮＢが推定するために使用できる実効放射電力に対するしきい値の概念が存在すると考える。実効放射電力は、伝送電力、アンテナ利得、指向性などの複数の関連パラメータの影響を表す一般的に使用される指標（用語）である。したがって、送信側による「アクション」を示す拡張ＲＮＴＰに関連付けられた明示的しきい値を持つことは適切である。受信側ｅＮＢに対する採用されたビームパターンおよび伝送電力の可能性のあるさまざまなネットの影響を伝達するために、送信側ｅＮＢが異なるｅＲＮＴＰメッセージを異なる受信側ｅＮＢに送信することが可能である。
【０４２９】
したがって、優先されるのは、「送信電力」の代わりに「実効放射送信電力」という語句を使用するための意味記述における変更に伴う最後の会議での基本合意を維持することである。これは、干渉軽減を実現するために空間／アンテナ領域処理を利用する、より新しい実装にも対応する。
【０４３０】
２つの提案を提示する。１つ目は、基本合意のよりビット効率の良いバージョンである（ただし、前述の変更された意味記述を含む）。これは、最初のサブフレーム（サブフレーム番号０）の送信電力レベルを示すＲＮＴＰ  ＩＥが常に伝達されなければならないということを利用する。このＩＥを無視する代わりに、拡張ＲＮＴＰ  ＩＥが含まれる場合、この拡張ＲＮＴＰ  ＩＥを引き続き使用して、最初のサブフレームのＰＲＢごとの電力レベル情報を伝達することができる。さらに、拡張ＲＮＴＰ  ＩＥでは、その後のサブフレームごとにＰＲＢごとの電力レベル情報を提供する代わりに、必要に応じて、先行するサブフレームの情報と異なる場合にのみ、そのようなサブフレームの情報を伝達する、より効率の高い表現を採用できる。
【０４３１】
２つ目の提案は、特定の実装によってより微細な電力レベル指示から利得を抽出できる複数のしきい値に基づいている。この提案の要点は、「１１」の選択が実効放射送信電力レベルに対する保証がない（送信電力が任意の高さになる場合を対象にする）ことをすでに示しており、電力レベルがＨＰＴＨよりも大きなことを伝達する必要がないため（このことが「１１」によって包含されているため）、（２つではなく）３つのしきい値を使用できるということである。
【０４３２】
Ｇ３．結論
【０４３３】
ｅＮＢ間ＣｏＭＰでｅＲＮＴＰ交換をサポートするために必要なＸ２メッセージについて説明し、対応する提案を提示した。
【０４３４】
提案：
【０４３５】
９．２．１９  相対的狭帯域送信電力（ＲＮＴＰ）
【０４３６】
このＩＥは、セル内のＰＲＢごとのＤＬ電力制約に関する指示および隣接するｅＮＢによって必要とされる干渉認識スケジューリングに関するその他の情報を提供する。
【０４３７】
【表４４Ａ】
0006500934.tif 000108
【表４４Ｂ】
0006500934.tif 000109
【０４３８】
【表４５Ａ】
0006500934.tif 000110
【表４５Ｂ】
0006500934.tif 000111
【表４５Ｃ】
0006500934.tif 000112
【０４３９】
サブバンドインデックス作成のための代替構造：
【０４４０】
【表４６Ａ】
0006500934.tif 000113
【表４６Ｂ】
0006500934.tif 000114
【０４４１】
実施形態Ｈ
【０４４２】
Ｈ１．概要
【０４４３】
ＲＡＮ３＃８８において、ＣＳＩの交換に関する有意義な議論の後に、基本ＣＲ（変更要求）においてサブバンドインデックス作成方式が選択された（非特許文献４参照）。本文書では、実行可能ないくつかの修正を示し、それらを提案において提示する。
【０４４４】
Ｈ２．説明
【０４４５】
ＣＳＩ信号伝達方式によってサポートされることが望ましい機能は、同じＸ２メッセージにおける周期的ＣＳＩレポートと非周期的ＣＳＩレポートの両方の交換である。この機能がない場合（すなわち、送信側ｅＮＢが、あるユーザのＣＳＩプロセスにおいて取得される周期的ＣＳＩレポートまたは非周期的ＣＳＩレポートのいずれかを選択するように強制される場合）、送信側ｅＮＢは使用可能なＣＳＩレポートを削除することが必要になる。このことは、正確な無線信号伝達リソースが、これらのレポートの取得においてすでに使い尽くされており、これらのレポートがまとまって、個別のレポートよりも多くのＣＳＩを伝達する可能性がある場合に、問題になる。
【０４４６】
この考え方を受け入れて、この機能を可能にするためのインデックス作成方式が非特許文献４において選択された。
【０４４７】
選択された方式に対して実行可能な２つの修正および１つの改善を以下に示す。
【０４４８】
修正：サブバンドインデックス範囲を｛０，…，１３，…｝から｛０，…，２７，…｝に変更する：
【０４４９】
非特許文献４のサブバンドインデックス作成方式から得られる利点は、同じＸ２メッセージにおける非周期的ＣＳＩレポートと周期的ＣＳＩレポートの両方の単純な転送である。ｍａｘＳｕｂｂａｎｄ値が１４であり、サブバンドインデックス範囲が｛０，…，１３，…｝となるように定義されていることに注意する。この選択により、構成された任意の周期的モードで、および構成された周期的モードが３−＊である場合に、単純な転送が可能になる。これは、このような場合、サブバンドレポートの最大数が１４であり、インデックス範囲が｛０，…，１３｝であり、合意された選択に一致しているからである。
【０４５０】
ただし、この選択では、同じＸ２メッセージがフィードバックモード２−＊で構成された非周期的ＣＳＩレポートおよび任意のモードで構成された周期的ＣＳＩレポートを含むことができない。これは、非周期的モード２−＊において、ダウンリンク内のＰＲＢの総数が
【０４５１】
【数２８】
0006500934.tif 000115
である場合、サブバンドサイズはｋ＝４であり、ＵＥで選択されたサブバンドの数はＭ＝６（ＴＳ３６．２１３の表７．２．１．５）であるからである。したがって、サブバンド数がＮ＝２８（１１０＝４×２７＋２）であり、ＵＥは、これらの２８個のサブバンドのうちから、任意の望ましい６つを自由に選択できる。したがって、ＵＥで選択された各サブバンドを識別するサブバンドインデックスは、集合｛０，…，２７｝に含まれなければならない。
【０４５２】
したがって、２つのＣＳＩプロセスアイテムのうちの１つは、サブバンドインデックスの範囲｛０，…，２７｝を持つ必要がある。簡単にするために、両方のＣＳＩプロセスアイテムに対して、｛０，…，２７｝の共通のサブバンドインデックス範囲を推奨する。代わりに、２つのＣＳＩプロセスアイテムのうちの１つ（例えば、ＣＳＩプロセスアイテム１）がインデックス範囲｛０，…，２７｝を持ち、もう１つがインデックス範囲｛０，…，１３｝を持つ場合、効率がわずかに向上する。
【０４５３】
（２）修正：同じＣＳＩプロセスにおける２つのＣＳＩプロセスアイテムのそれぞれについて、異なるＲＩおよびＣＱＩの組み合わせを報告できることを反映するように、意味記述を変更する。
【０４５４】
（３）改善：意味記述を明確にして、サブバンドＣＱＩ  ＩＥをオプションにする。
【０４５５】
サブバンドＣＱＩは、サブバンドインデックスの昇順に連続的に伝達される。あるサブバンドのサブバンドＣＱＩ  ＩＥが伝達されない場合、受信側ｅＮＢは、先行する最後のサブバンドに関して伝達されたＣＱＩを使用しなければならない。最初のサブバンドのＣＱＩは、常に含められなければならない。このアプローチは、冗長性を回避することによって、オーバーヘッドを大幅に削減できる。ＵＥが非周期的モード２−＊で構成された場合、そのＵＥは、Ｎ個のサブバンドのうちのＭ個のインデックスを選択して報告するということに注意する。ただし、ＵＥによって、選択されたＭ個のサブバンドすべてに対して、１つのＣＱＩ（コードワードごと）のみが報告される。したがって、Ｘ２メッセージでのそのようなＣＱＩの報告において冗長性を回避することも、有益である。
【０４５６】
Ｈ３．結論
【０４５７】
ＵＥ−ＣＳＩ  ＩＥで実行できる３つの改善を示した。それらを提案において提示する。
【０４５８】
９．２．ａａ  ＵＥ−ＣＳＩレポート
【０４５９】
このＩＥは、情報が提供されるセルによって接続されたＵＥのＣＳＩレポートを提供する。
【０４６０】
【表４７Ａ】
0006500934.tif 000116
【表４７Ｂ】
0006500934.tif 000117
【０４６１】
以上の記述は、すべての点において、制限ではなく説明および例示であると理解されるべきであり、本明細書で開示された本発明の範囲は、発明を実施するための形態から決定されるのではなく、特許法によって許可された全範囲に従って解釈された特許請求の範囲から決定される。本明細書に示され、記載された実施形態は、単に本発明の原理の説明であり、当業者が本発明の範囲と精神を逸脱することなくさまざまな変更を行うことができると理解されるべきである。当業者は、本発明の範囲と精神を逸脱することなく、さまざまなその他の機能の組み合わせを実装できる。
【図１】
0006500934.tif 000118